(57)【要約】  光源装置（１）は発散光を放出する発光素子（３）を内側に収納する光源レンズ（４）と第２反射鏡（６）を備える。光源レンズ（４）は、Ｙ軸を中心として断面形状（２０ａ）を回転させることにより得られる回転体（２０）であり、第１中央レンズ部分（１３）と、その両側の第１側方レンズ部分（１４）を備える。第１中央レンズ部分（１３）はＸ軸を含む平面で切断した場合の断面形状が発散光をそのまま通過させるものとされ、Ｙ軸を含む平面で切断した場合の断面形状が、発散光をＸＺ平面の方向に屈折させる正のパワーを備えたものとされている。第１側方レンズ部分（１４）は、発散光をＹＺ平面の方向およびＸＹ平面の方向に屈折させる正のパワーを備えたものとされ、第１側方レンズ部分（１４）の透過光は第２反射鏡（６）によってＸ軸およびＸ軸を含む平面方向に反射される。これにより、光源装置（１）からは、線状の照射範囲が得られる。
2012042833.tif 000002
【特許請求の範囲】
【請求項１】
発散光を射出する発光面を備えた発光素子と、
前記発光素子の前記発光面を覆う光源レンズとを有し、
前記発光面の発光中心点を原点とし、前記原点で直交して前記発光面と同一平面上を延びる二軸をＸ軸およびＹ軸、前記原点から前記発光面の前方に垂直に延びる軸をＺ軸とすると、
前記光源レンズは、Ｚ軸方向の前方に位置する中央レンズ部分と、この中央レンズ部分におけるＹ軸方向の両端にそれぞれ形成された側方レンズ部分とを備え、
前記中央レンズ部分および前記側方レンズ部分のそれぞれは、Ｙ軸を中心として同一断面形状を回転させることにより得られる回転体であり、
前記中央レンズ部分は、前記発散光をＸＺ平面の方向に屈折させる正のパワーを備えたものとされており、
前記側方レンズ部分のそれぞれは、前記発散光をＹＺ平面の方向に屈折させる正のパワーおよび前記発散光をＸＹ平面の方向に屈折させる正のパワーを備えたものとされていることを特徴とする光源装置。
【請求項２】
請求項１において、
前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、
前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備えたものとされていることを特徴とする光源装置。
【請求項３】
請求項１において、
前記中央レンズ部分は、Ｙ軸を含む平面で切断した場合の断面形状がＹ軸と平行に直線状に延びており、当該中央レンズ部分の内側面または外側面が前記発散光をＸＺ平面の方向に屈折させる正のパワーを備えるフルネルレンズ面とされており、
前記側方レンズ部分のそれぞれは、Ｙ軸を含む平面で切断した場合の断面形状がＹ軸と直交する方向に直線状に延びるものとなっており、各側方レンズ部分の内側面または外側面が前記発散光をＹＺ平面の方向に屈折させる正のパワーおよび前記発散光をＸＹ平面の方向に屈折させる正のパワーを備えるフルネルレンズ面とされていることを特徴とする光源装置。
【請求項４】
請求項１ないし３のうちのいずれかの項において、
前記中央レンズ部分および前記側方レンズ部分のそれぞれは、ＸＹ平面からＸ軸のマイナス方向に向かって９０°〜１８０°の角度範囲に渡って形成されていることを特徴とする光源装置。
【請求項５】
請求項１ないし４のうちのいずれかの項において、
前記中央レンズ部分は、当該中央レンズ部分を通過する光を（ｘ,ｙ,ｚ）成分で表した場合に、ｙ成分のみを０に近づけるように作用するものとされていることを特徴とする光源装置。
【請求項６】
請求項１ないし５のうちのいずれかの項において、
前記側方レンズ部分は、当該側方レンズ部分を通過する光を（ｘ,ｙ,ｚ）成分で表した場合に、ｚ成分とｘ成分を０に近づけるように作用するものとされていることを特徴とする光源装置。
【請求項７】
請求項４において、
前記中央レンズ部分および前記側方レンズ部分のそれぞれは、ＸＹ平面から９０°の角度範囲に渡って形成されていることを特徴とする光源装置。
【請求項８】
請求項７において、
前記光源レンズは、前記中央レンズ部分におけるＹＺ平面上の端面に連続して形成した第２中央レンズ部分と、前記側方レンズ部分のそれぞれにおけるＹＺ平面上の端面に連続して形成した第２側方レンズ部分とを有しており、
前記第２中央レンズ部分は、前記中央レンズ部分のＹＺ平面上の前記端面をＸ軸のマイナス方向に所定長さだけ平行移動することにより得られる平行移動体であり、
前記第２側方レンズ部分は、前記側方レンズ部分のＹＺ平面上の前記端面をＸ軸のマイナス方向に所定長さだけ平行移動することにより得られる平行移動体であることを特徴とする光源装置。
【請求項９】
請求項４において、
前記中央レンズ部分および前記側方レンズ部分のそれぞれは、ＸＹ平面から１８０°の角度範囲に渡って形成されていることを特徴とする光源装置。
【請求項１０】
発散光を射出する発光面を備えた発光素子と、
前記発光素子の前記発光面を覆う光源レンズとを有し、
前記発光面と同一平面上で当該発光面の発光中心点から外れている位置を原点とし、前記原点および前記発光点を通過して延びる軸をＸ軸、前記原点でＸ軸に直交して前記発光面と同一平面上を延びる軸をＹ軸、前記原点でＸ軸およびＹ軸と直交して前記発光面の前方に延びる軸をＺ軸とすると、
前記光源レンズは、Ｚ軸方向の前方に位置して前記発光面を前側から覆う中央レンズ部分と、この中央レンズ部分におけるＹ軸方向の両端にそれぞれ形成された側方レンズ部分とを備え、
前記中央レンズ部分および前記側方レンズ部分のそれぞれは、Ｙ軸を中心として同一断面形状を回転させることにより得られる回転体であり、
前記中央レンズ部分は、前記発散光をＸＺ平面の方向に屈折させる正のパワーを備えたものとされており、
前記側方レンズ部分のそれぞれは、前記発散光をＹＺ平面の方向に屈折させる正のパワーおよび前記発散光をＸＹ平面の方向に屈折させる正のパワーを備えたものとされていることを特徴とする光源装置。
【請求項１１】
請求項１０において、
前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、
前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備えたものとされていることを特徴とする光源装置。
【請求項１２】
請求項１０または１１のうちのいずれかの項において、
前記中央レンズ部分および前記側方レンズ部分のそれぞれは、ＸＹ平面からＸ軸のマイナス方向に向かって９０°の角度範囲に渡って形成されていることを特徴とする光源装置。
【請求項１３】
請求項１０ないし１２のうちのいずれかの項において、
前記発光面の外周縁の近傍で当該発光面から外れている位置を原点としていることを特徴とする光源装置。
【請求項１４】
請求項１０ないし１３のうちのいずれかの項において、
前記中央レンズ部分は、当該中央レンズ部分を通過する光を（ｘ,ｙ,ｚ）成分で表した場合に、ｙ成分のみを０に近づけるように作用するものとされていることを特徴とする光源装置。
【請求項１５】
請求項１０ないし１４のうちのいずれかの項において、
前記側方レンズ部分は、当該側方レンズ部分を通過する光を（ｘ,ｙ,ｚ）成分で表した場合に、ｚ成分とｘ成分を０に近づけるように作用するものとされていることを特徴とする光源装置。
【請求項１６】
請求項１ないし１５のうちのいずれかの項において、
前記光源レンズは、ＸＺ平面に対して面対称の形状をしていることを特徴とする光源装置。
【請求項１７】
請求項１ないし１６のうちのいずれかの項において、
前記光源レンズのＸ軸のマイナス方向に隣接配置された第１反射鏡を有し、
前記第１反射鏡は、ＹＺ平面と平行で前記光源レンズの側を向いている第１反射面を備えていることを特徴とする光源装置。
【請求項１８】
請求項１ないし１７のうちのいずれかの項において、
前記光源レンズのＹ軸方向の両側に隣接配置された第２反射鏡を有し、
前記第２反射鏡のそれぞれは、前記光源レンズの側を向き、Ｚ軸の前方に向かってＸＺ平面から離れる方向に傾斜している第２反射面を備えていることを特徴とする光源装置。
【請求項１９】
請求項１ないし１８のうちのいずれかの項に記載の光源装置の光源レンズ。
【請求項２０】
請求項１ないし１６のうちのいずれかの項に記載の光源装置を備える光源モジュールを２つ搭載する光源ユニットを有し、
前記光源モジュールは、
基板と、
前記基板の表面に搭載されている前記発光素子と、
前記発光素子の発光面を覆う状態に前記基板の表面に搭載されている前記光源レンズと、
前記基板における前記光源レンズの隣接位置から前記発光面の前方に向けて所定の角度で延びている第１反射板と、
前記光源レンズに対して前記第１反射板が隣接する方向とは直交する方向の両側に配置され、前記基板から当該発光面の前方に向けて相互に離れる方向に斜めに延び、前記第１反射板に交差している一対の第２反射板とを備えており、
前記発光素子から射出される発散光は、前記光源レンズを介して前記基板の前方に放射される第１出射光、および、前記光源レンズを介して屈折させられた後に第２反射板で反射されて前記基板の前方に放射される第２出射光に配光され、前記第１出射光および前記第２出射光によって前記基板と前記第１反射板のなす角度で広がる一定幅の照明光を形成するようになっており、
前記光源ユニットは、２つの前記光源モジュールの前記基板が平行あるいは鋭角をなす状態で背中合わせに配置され、一方の前記光源モジュールの前記基板から他方の前記光源モジュールの前記基板までの間の角度で広がる一定幅の線状照明光を形成するようになっていることを特徴とする照明装置。
【発明の詳細な説明】
【技術分野】
【０００１】
本発明は、線状の光を放射する光源装置、このような光源装置に用いられる光源レンズおよび、このような光源装置を搭載する照明装置に関する。
【背景技術】
【０００２】
発光ダイオードからの発散光を、発光面を包囲する光源レンズで配光制御することによって所定の照射範囲に放射する光源装置は特許文献１に記載されている。同文献の光源装置では、光源レンズは発光面の中心軸に対して回転対称に構成されており、発光ダイオードからの発散光は光源レンズによって中心軸と平行な光と、中心軸と直交する方向に集光する光に配光されている。また、光源レンズを透過することにより中心軸と直交する方向に集光された光は、光源レンズの外周側に配置された円環状の反射鏡によって中心軸と平行な方向に反射されている。
【先行技術文献】
【特許文献】
【０００３】
【特許文献１】特開２００４−２８１６０５号公報
【発明の概要】
【発明が解決しようとする課題】
【０００４】
特許文献１の光源装置によれば円形の照射範囲を得ることができるが、光源装置によって線状の照射範囲を得たい場合がある。【０００５】
本発明の課題は、このような点に鑑みて、発散光を光源レンズで配光制御して照射範囲を線状とする光源装置を提案することにある。また、このような光源装置の光源レンズ、および、このような光源装置を搭載する照明装置を提案することにある。
【課題を解決するための手段】
【０００６】
上記の課題を解決するために、本発明の光源装置は、
発散光を射出する発光面を備えた発光素子と、
前記発光素子の前記発光面を覆う光源レンズとを有し、
前記発光面の発光中心点を原点とし、前記原点で直交して前記発光面と同一平面上を延びる二軸をＸ軸およびＹ軸、前記原点から前記発光面の前方に垂直に延びる軸をＺ軸とすると、
前記光源レンズは、Ｚ軸方向の前方に位置する中央レンズ部分と、この中央レンズ部分におけるＹ軸方向の両端にそれぞれ形成された側方レンズ部分とを備え、
前記中央レンズ部分および前記側方レンズ部分のそれぞれは、Ｙ軸を中心として同一断面形状を回転させることにより得られる回転体であり、
前記中央レンズ部分は、前記発散光をＸＺ平面の方向に屈折させる正のパワーを備えたものとされており、
前記側方レンズ部分のそれぞれは、前記発散光をＹＺ平面の方向に屈折させる正のパワーおよび前記発散光をＸＹ平面の方向に屈折させる正のパワーを備えたものとされていることを特徴とする。【０００７】
本発明によれば、光源からの発散光のうちＹ軸回りの回転体からなる中央レンズ部分を透過した透過光は、ＸＺ平面に沿って、Ｙ軸方向の幅が狭められた線状となる。一方、光源からの発散光のうち各側方レンズ部分を透過する光は、ＸＹ平面の方向並びにＹＺ平面の方向に屈折させられているので、中央レンズ部分の透過光とは重ならない方向に放射される。この結果、中央レンズ部分の透過光によって、線状の照射範囲を得ることができる。【０００８】
本発明において、前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備えたものとされている構成を採用することができる。このような構成であれば、中央レンズ部分および側方レンズ部分がＹ軸回りの回転体から形成されているので、中央レンズ部分のＸ軸を含む平面で切断した場合の断面形状を、発散光を屈折させることなくそのまま通過させるものとすることが容易となり、側方レンズ部分のＸ軸を含む平面で切断した場合の断面形状を、発散光をＹＺ平面の方向に屈折させる正のパワーを備えたものとすることが容易である。なお、Ｘ軸を含む平面で切断した場合の断面形状が発散光を発散状態のまま通過させるものとは、この断面形状が、発散光を屈折させることなくそのまま通過させるもの、或いは、発散光を集光を伴わずに通過させるものがある。【０００９】
また、本発明において、前記中央レンズ部分は、Ｙ軸を含む平面で切断した場合の断面形状がＹ軸と平行に直線状に延びており、当該中央レンズ部分の内側面または外側面が前記発散光をＸＺ平面の方向に屈折させる正のパワーを備えるフルネルレンズ面とされており、前記側方レンズ部分のそれぞれは、Ｙ軸を含む平面で切断した場合の断面形状がＹ軸と直交する方向に直線状に延びるものとなっており、各側方レンズ部分の内側面または外側面が前記発散光をＹＺ平面の方向に屈折させる正のパワーおよび前記発散光をＸＹ平面の方向に屈折させる正のパワーを備えるフルネルレンズ面とされている構成を採用することができる。このような構成によれば、フルネルレンズ面によって発散光を屈折させているので、光源レンズを比較的小さく構成することが可能となる。【００１０】
本発明において、前記中央レンズ部分および前記側方レンズ部分のそれぞれは、ＸＹ平面からＸ軸のマイナス方向に向かって９０°〜１８０°の角度範囲に渡って形成されているものとすることができる。【００１１】
本発明において、前記中央レンズ部分は、当該中央レンズ部分を通過する光を（ｘ,ｙ,ｚ）成分で表した場合に、ｙ成分のみを０に近づけるように作用するものとされていることが望ましい。【００１２】
本発明において、前記側方レンズ部分は、当該側方レンズ部分を通過する光を（ｘ,ｙ,ｚ）成分で表した場合に、ｚ成分とｘ成分を０に近づけるように作用するものとされていることが望ましい。【００１３】
本発明において、前記中央レンズ部分および前記側方レンズ部分のそれぞれは、ＸＹ平面から９０°の角度範囲に渡って形成されているものとすることができる。【００１４】
この場合において、前記光源レンズは、前記中央レンズ部分におけるＹＺ平面上の端面に連続して形成した第２中央レンズ部分と、前記側方レンズ部分のそれぞれにおけるＹＺ平面上の端面に連続して形成した第２側方レンズ部分とを有しており、前記第２中央レンズ部分は、前記中央レンズ部分のＹＺ平面上の前記端面をＸ軸のマイナス方向に所定長さだけ平行移動することにより得られる平行移動体であり、前記第２側方レンズ部分は、前記側方レンズ部分のＹＺ平面上の前記端面をＸ軸のマイナス方向に所定長さだけ平行移動することにより得られる平行移動体であることが望ましい。このようにすれば、第２中央レンズ部分は、発散光をＸＺ平面の方向に屈折させる正のパワーを備えたものとなる。また、第２側方レンズ部分のそれぞれは、発散光をＸＹ平面の方向に屈折させる正のパワーを備えたものとなる。従って、光源からの発散光のうち第２中央レンズ部分の透過光は、ＸＺ平面に沿って、Ｙ軸方向の幅が狭められた線状となり、中央レンズ部分の透過光による照射範囲に連続する部分を照らす。また、光源からの発散光のうち第２側方レンズ部分を通過する光は、ＹＺ平面よりもＸ軸のマイナス方向に向かって放射されており、ＸＹ平面の方向に屈折させられる。従って、第２側方レンズ部分の透過光は中央レンズ部分および第２中央レンズ部分の透過光とは重ならない方向に放射される。この結果、第２中央レンズ部分の透過光により、中央レンズ部分の透過光による線状の照射範囲に連続した線状の照射範囲を得ることができるので、照射範囲をより長く延ばすことができる。【００１５】
本発明において、前記中央レンズ部分および前記側方レンズ部分のそれぞれは、ＸＹ平面から１８０°の角度範囲に渡って形成されているものとしてもよい。このようにすれば、線状の照射範囲がより長くなる。【００１６】
次に、本発明の別の形態は、
発散光を射出する発光面を備えた発光素子と、
前記発光素子の前記発光面を覆う光源レンズとを有し、
前記発光面と同一平面上で当該発光面の発光中心点から外れている位置を原点とし、前記原点および前記発光点を通過して延びる軸をＸ軸、前記原点でＸ軸に直交して前記発光面と同一平面上を延びる軸をＹ軸、前記原点でＸ軸およびＹ軸と直交して前記発光面の前方に延びる軸をＺ軸とすると、
前記光源レンズは、Ｚ軸方向の前方に位置して前記発光面を前側から覆う中央レンズ部分と、この中央レンズ部分におけるＹ軸方向の両端にそれぞれ形成された側方レンズ部分とを備え、
前記中央レンズ部分および前記側方レンズ部分のそれぞれは、Ｙ軸を中心として同一断面形状を回転させることにより得られる回転体であり、
前記中央レンズ部分は、前記発散光をＸＺ平面の方向に屈折させる正のパワーを備えたものとされており、
前記側方レンズ部分のそれぞれは、前記発散光をＹＺ平面の方向に屈折させる正のパワーおよび前記発散光をＸＹ平面の方向に屈折させる正のパワーを備えたものとされていることを特徴とする。【００１７】
本発明によれば、光源からの発散光のうち光源からの発散光のうちＹ軸回りの回転体からなる中央レンズ部分を透過した透過光は、ＸＺ平面に沿って、Ｙ軸方向の幅が狭められた線状となる。一方、光源からの発散光のうち各側方レンズ部分を透過する光は、ＸＹ平面の方向並びにＹＺ平面の方向に屈折させられているので、中央レンズ部分の透過光とは重ならない方向に放射される。この結果、中央レンズ部分の透過光によって、線状の照射範囲を得ることができる。【００１８】
本発明において、前記中央レンズ部分は、Ｘ軸を含む平面で切断した場合の断面形状が前記発散光を発散状態のまま通過させるものとされており、Ｙ軸を含む平面で切断した場合の断面形状が前記発散光をＸＺ平面の方向に屈折させる正のパワーを備えたものとされており、前記側方レンズ部分のそれぞれは、Ｘ軸を含む平面で切断した場合の断面形状が前記発散光をＹＺ平面の方向に屈折させる正のパワーを備えたものとされており、Ｙ軸を含む平面で切断した場合の断面形状が前記発散光をＸＹ平面の方向に屈折させる正のパワーを備えたものとされている構成を採用することができる。このような構成とすれば、中央レンズ部分および側方レンズ部分がＹ軸回りの回転体から形成されているので、中央レンズ部分のＸ軸を含む平面で切断した場合の断面形状を、発散光を屈折させることなくそのまま通過させるものとすることが容易となり、側方レンズ部分のＸ軸を含む平面で切断した場合の断面形状を、発散光をＹＺ平面の方向に屈折させる正のパワーを備えたものとすることが容易となる。なお、Ｘ軸を含む平面で切断した場合の断面形状としては、この断面形状が、発散光を屈折させることなくそのまま通過させるもの、或いは、発散光を集光を伴わずに通過させるものがある。【００１９】
本発明において、前記中央レンズ部分および前記側方レンズ部分のそれぞれは、ＸＹ平面からＸ軸のマイナス方向に向かって９０°の角度範囲に渡って形成されているものとすることができる。【００２０】
本発明において、前記発光面の外周縁の近傍で当該発光面から外れている位置を原点としていることが望ましい。このようにすれば、中央レンズ部分によって、発光素子の発光面をＺ軸方向の前側から覆うことが容易となる。また、中央レンズ部分および側方レンズ部分によって発光素子の発光面の全面を覆うことができる。【００２１】
本発明において、前記中央レンズ部分は、当該中央レンズ部分を通過する光を（ｘ,ｙ,ｚ）成分で表した場合に、ｙ成分のみを０に近づけるように作用するものとすることが望ましい。【００２２】
本発明において、前記側方レンズ部分は、当該側方レンズ部分を通過する光を（ｘ,ｙ,ｚ）成分で表した場合に、ｚ成分とｘ成分を０に近づけるように作用するものとされていることが望ましい。【００２３】
本発明において、前記光源レンズは、ＸＺ平面に対して面対称の形状をしていることが望ましい。【００２４】
本発明において、前記光源レンズのＸ軸のマイナス方向に隣接配置された第１反射鏡を有し、前記第１反射鏡は、ＹＺ平面と平行で前記光源レンズの側を向いている第１反射面を備えていることが望ましい。このようにすれば、光源レンズの透過光のうち、Ｘ軸のマイナス方向に向う光をＹＺ平面の側に反射することができる。従って、照射範囲の光度を高めることができる。【００２５】
本発明において、前記光源レンズのＹ軸方向の両側に隣接配置された第２反射鏡を有し、前記第２反射鏡のそれぞれは、前記光源レンズの側を向き、Ｚ軸の前方に向かってＸＺ平面から離れる方向に傾斜している第２反射面を備えていることが望ましい。このようにすれば、第２反射面を側方レンズ部分の透過光、或いは、第２側方レンズ部分の透過光をＸＹ平面の方向に反射できるので、これらの透過光を中央レンズ部分の透過光による線状の照射範囲に重ねること、或いは、その照射範囲に沿って照射することができる。ここで、光源からの発散光のうち各側方レンズ部分を透過する光は、ＸＹ平面の方向並びにＹＺ平面の方向に屈折させられている。また、光源からの発散光のうち第２側方レンズ部分を通過する光はＹＺ平面よりもＸ軸のマイナス方向に向かって放射されており、ＸＹ平面の方向に屈折させられている。従って、側方レンズ部分或いは第２側方レンズ部分を透過する光が屈折させられていない場合と比較して、これらの透過光を、Ｘ軸方向およびＺ軸方向において小さな反射面で反射できる。【００２６】
次に、本発明は、上記の光源装置の光源レンズとすることができる。【００２７】
また、本発明の照明装置は、
上記の光源装置を備える光源モジュールを２つ搭載する光源ユニットを有し、
前記光源モジュールは、
基板と、
前記基板の表面に搭載されている前記発光素子と、
前記発光素子の発光面を覆う状態に前記基板の表面に搭載されている前記光源レンズと、
前記基板における前記光源レンズの隣接位置から前記発光面の前方に向けて所定の角度で延びている第１反射板と、
前記光源レンズに対して前記第１反射板が隣接する方向とは直交する方向の両側に配置され、前記基板から当該発光面の前方に向けて相互に離れる方向に斜めに延び、前記第１反射板に交差している一対の第２反射板とを備えており、
前記発光素子から射出される発散光は、前記光源レンズを介して前記基板の前方に放射される第１出射光、および、前記光源レンズを介して屈折させられた後に第２反射板で反射されて前記基板の前方に放射される第２出射光に配光され、前記第１出射光および前記第２出射光によって前記基板と前記第１反射板のなす角度で広がる一定幅の照明光を形成するようになっており、
前記光源ユニットは、２つの前記光源モジュールの前記基板が平行あるいは鋭角をなす状態で背中合わせに配置され、一方の前記光源モジュールの前記基板から他方の前記光源モジュールの前記基板までの間の角度で広がる一定幅の線状照明光を形成するようになっていることを特徴とする。【００２８】
本発明によれば、光源装置を搭載している各光源モジュールは、発光素子からの発散光を光源レンズおよび反射板を用いて配光しており、光源モジュールからは発光素子が搭載されている基板と第１反射板のなす角度で広がる一定幅の照明光が出射される。また、光源ユニットでは、２つの光源モジュールのそれぞれに搭載されている発光素子が互いに基板を挟んで反対側を向くように配置されており、これにより、光源ユニットは一方の光源モジュールの基板から他方の光源モジュールの基板までの間の角度で広がる一定幅の線状照明光を形成するようになっている。従って、照明装置からの照明光を長くすることができる。よって、線状の照射範囲を少数の光源モジュールによって形成することができる。また、発光素子からの発散光を光源レンズおよび第１、第２反射板を用いて配光しているので、反射板のみを用いて配光する場合と比較して、光源モジュールにより形成される照明光を一定幅の線状にすることが容易となる。
【発明の効果】
【００２９】
本発明の光源装置によれば、光源からの発散光のうち中央レンズ部分を透過した透過光は、ＸＺ平面に沿って、Ｙ軸方向の幅が狭められた線状となる。一方、光源からの発散光のうち各側方レンズ部分を透過する光は、ＸＹ平面の方向並びにＹＺ平面の方向に屈折させられているので、中央レンズ部分の透過光とは重ならない方向に放射される。この結果、中央レンズ部分の透過光によって、線状の照射範囲を得ることができる。また、本発明の照明装置によれば、光源ユニットは一方の光源モジュールの基板から他方の光源モジュールの基板までの間の角度で広がる一定幅の線状照明光を形成することができる。
【図面の簡単な説明】
【００３０】
【図１】本発明を適用した光源装置の外観斜視図である。
【図２】光源装置を説明するための平面図および断面図である。
【図３】発光素子の配光特性を示す扇グラフおよび等高線グラフである。
【図４】光源レンズを説明するための断面図である。
【図５】光源装置の配光特性を示す扇グラフおよび等高線グラフである。
【図６】第２の発光素子の配光特性を示す扇グラフおよび等高線グラフである。
【図７】実施例１の変形例１の光源装置の配光特性を示すグラフである。
【図８】第３の発光素子の配光特性を示す扇グラフおよび等高線グラフである。
【図９】実施例１の変形例２の光源装置の配光特性を示すグラフである。
【図１０】実施例２の光源装置を説明するための平面図および断面図である。
【図１１】実施例２の光源装置の配光特性を示す扇グラフおよび等高線グラフである。
【図１２】実施例３の光源装置を説明するための平面図および断面図である。
【図１３】実施例３の光源装置の配光特性を示す扇グラフおよび等高線グラフである。
【図１４】実施例４の光源装置の外観斜視図である。
【図１５】実施例４の光源装置の平面図および側面図である。
【図１６】実施例４の光源装置のＸＺ平面の断面図およびＹＺ平面の断面図である。
【図１７】実施例４のフルネルレンズ面を説明するための部分断面図である。
【図１８】実施例４の光源装置の配光特性を示す扇グラフおよび等高線グラフである。
【図１９】実施例４の光源レンズと実施例１の光源レンズの大きさの説明図である。
【図２０】実施例４の変形例１の光源装置の配光特性を示すグラフである。
【図２１】実施例４の変形例２の光源装置の配光特性を示すグラフである。
【図２２】実施例４の変形例３の光源装置の平面図およびＹＺ平面の断面図である。
【図２３】実施例４の変形例３のフルネルレンズ面を説明するための部分断面図である。
【図２４】実施例４の変形例３の光源装置の配光特性を示すグラフである。
【図２５】実施例５の光源装置の平面図および側面図である。
【図２６】実施例５の光源装置の配光特性を示す扇グラフおよび等高線グラフである。
【図２７】本発明を適用した照明装置の概観斜視図である。
【図２８】照明装置本体を説明するための斜視図および断面図である。
【図２９】光源ユニットを説明するための斜視図および断面図である。
【発明を実施するための形態】
【００３１】
以下に図面を参照しながら、本発明を実施するための形態を説明する。
【００３２】
［実施例１］
（全体構成）
図１は本例の光源装置の概観斜視図である。図２（ａ）は光源装置の平面図であり、図２（ｂ）は光源装置をＸＺ平面で切断した断面図であり、図２（ｃ）は光源装置をＹＺ平面で切断した断面図である。光源装置１は、基板２と、この基板２に形成された配線パターンに接続された発光素子３を備えている。基板２の表面には発光素子３の発光面３ａを覆うように光源レンズ４が固定されており、発光素子３は光源レンズ４の内側に収納されている。なお、本例では、発光面３ａの発光中心点Ｐを原点Ｏとし、原点Ｏで直交して発光面３ａと同一平面上を延びる二軸をＸ軸およびＹ軸、原点Ｏから発光面３ａの前方に垂直に延びる軸をＺ軸として説明する。また、Ｘ軸方向の一方をプラス方向、他方をマイナス方向として説明する。
【００３３】
光源レンズ４のＺ軸方向の側およびＸ軸のプラス方向の側は開放状態とされている。光源レンズ４のＸ軸のマイナス方向には第１反射鏡５が隣接配置されている。光源レンズ４のＹ軸方向の両側には一対の第２反射鏡６が隣接配置されている。
【００３４】
（発光素子）
光源として用いた発光素子３は、青色の発散光を放射する発光素子（青色発光ダイオード）を蛍光体により励起させ、黄色と青色の混合色による疑似白色の発散光を放射するものであり、発散光には青色の波長ピークと黄色の波長ピークが存在する。
【００３５】
図３（ａ）は発光素子３の配光特性を天頂角度と方位角度相対値で示す扇グラフであり、図３（ｂ）は発光素子３の配光特性を方位角度と天頂角度相対値で示す等高線グラフである。本例において、光源として用いた発光素子３は発散光を放射する発光ダイオードであり、図３に示すように、その配光はランバート分布を示している。
【００３６】
（光源レンズ）
図４（ａ）は光源レンズ４をＹ軸方向から見た側面図であり、図４（ｂ）はＹＺ平面で切断した光源レンズ４の断面図である。光源レンズ４は、エポキシ樹脂やポリカーボネート樹脂などの光透過性樹脂を射出成形することによって形成されている。図１、図２（ａ）に示すように、光源レンズ４は、ＹＺ平面よりもＸ軸のプラス側に位置する第１部位１１と、ＹＺ平面よりもＸ軸のマイナス側に位置する第２部位１２を備えている。第１部位１１は発光素子３からの発散光のうちＹＺ平面よりもＸ軸のプラス側を通過する光を配光制御し、第２部位１２は発光素子３からの発散光のうちＹＺ平面よりもＸ軸のマイナス側を通過する光を配光制御する。
【００３７】
第１部位１１は、発光面３ａのＺ軸方向の前方に位置する第１中央レンズ部分（中央レンズ部分）１３と、Ｙ軸方向において第１中央レンズ部分１３の両端に形成されている一対の第１側方レンズ部分（側方レンズ部分）１４を備えている。第２部位１２は、第１中央レンズ部分１３のＸ軸のマイナス方向の端に形成されている第２中央レンズ部分１５と、各第１側方レンズ部分１４のＸ軸のマイナス方向の端に形成されている一対の第２側方レンズ部分１６を備えている。
【００３８】
第１中央レンズ部分１３は、Ｘ軸を含む平面で切断した場合の断面形状が、図２（ｂ）に示すように、発光素子３からの発散光を屈折させることなくそのまま通過させるものとされている。また、Ｙ軸を含む平面で切断した場合の断面形状が、図２（ｃ）に示すように、発光素子３からの発散光をＸＺ平面の方向に屈折させる正のパワーを備えたものとされている。言い換えると、第１中央レンズ部分１３は、当該部分を通過する光を（ｘ,ｙ,ｚ）成分で表した場合に、ｙ成分のみを０に近づけるように作用する。
【００３９】
第１側方レンズ部分１４のそれぞれは、Ｘ軸を含む平面で切断した場合の断面形状が、発光素子３からの発散光をＹＺ平面の方向に屈折させる正のパワーを備えたものとされている。また、Ｙ軸を含む平面で切断した場合の断面形状が、図２（ｃ）に示すように、発光素子３からの発散光をＸＹ平面の方向に屈折させる正のパワーを備えたものとされている。言い換えると、第１側方レンズ部分１４のそれぞれは、当該部分を通過する光を（ｘ,ｙ,ｚ）成分で表した場合に、ｚ成分とｘ成分を０に近づけるように作用する。
【００４０】
第１中央レンズ部分１３および一対の第１側方レンズ部分１４は、Ｙ軸を中心として、図４（ｂ）に示す断面形状（同一断面形状）２０ａを回転させることにより得られる回転体２０であり、図４（ａ）の矢印に示すように、ＸＹ平面からＸ軸のマイナス方向に向かって９０°の角度範囲に渡って形成されている。
【００４１】
ここで、断面形状２０ａは、図４（ｂ）に示すＹＺ平面上では、Ｚ軸に対して対称であり、Ｚ軸と交差してＺ軸の前方に突出する第１円弧部分２１と、第１円弧部分２１の両端からそれぞれＹ軸方向に突出する一対の第２円弧部分２２を備えている。第１円弧部分２１を規定している円の中心２１ａは、Ｚ軸上において発光面３ａから前方に離れた位置にある。また、一対の第２円弧部分２２をそれぞれ規定している円の中心２２ａは、Ｙ軸上において、発光面３ａから外側に離れた位置にある。図１、図２に示すように、第１円弧部分２１によって第１中央レンズ部分１３の外側面１３ａの形状が規定されており、一対の第２円弧部分２２によって一対の第１側方レンズ部分１４の外側面１４ａの形状が規定されている。
【００４２】
一対の第２円弧部分２２のＺ軸方向の後端の間は、図４（ｂ）に示すように、一方の第２円弧部分２２の後端からＹ軸上を延びる第１直線部分２３と、第１直線部分２３の端からＺ軸方向を前方に延びる第２直線部分２４と、第２直線部分２４の端からＹ軸方向に延びる第３直線部分２５と、第３直線部分２５の端からＺ軸方向を後方に延びる第４直線部分２６と、第４直線部分２６の端から他方の第２円弧部分２２の後端までＹ軸上を延びる第５直線部分２７によって連続させられている。第３直線部分２５の寸法は、第１円弧部分２１のＹ軸方向の寸法と同一となっている。第２直線部分２４、第３直線部分２５および第４直線部分２６によって、第１中央レンズ部分１３および第１側方レンズ部分１４の内側に形成されている第１凹部２８の形状が規定されている。
【００４３】
次に、第２中央レンズ部分１５および一対の第２側方レンズ部分１６は、第１中央レンズ部分１３および第１側方レンズ部分１４のＹＺ平面上の端面、すなわち、図４（ｂ）に示す断面形状２０ａを備えている端面を、Ｘ軸のマイナス方向に所定長さだけ平行移動することにより得られる平行移動体となっている。より詳細には、断面形状２０ａの第１円弧部分２１によって第２中央レンズ部分１５の外側面１５ａの形状が規定されており、第２円弧部分２２によって第２側方レンズ部分１６の外側面１６ａの形状が規定されている。また、第２直線部分２４、第３直線部分２５および第４直線部分２６によって、第２中央レンズ部分１５および第２側方レンズ部分１６の内側に形成されている第２凹部２９の形状が規定されている。
【００４４】
これにより、第２中央レンズ部分１５は、Ｘ軸を含む平面で切断した場合の断面形状が、図２（ｂ）に示すように、発光素子３からの発散光を発散状態のままで通過させるものとなっており、Ｙ軸を含む平面で切断した場合の断面形状は、発光素子３からの発散光をＸＺ平面の方向に屈折させる正のパワーを備えたものとなっている。言い換えると、第２中央レンズ部分１５は、当該部分を通過する光を（ｘ,ｙ,ｚ）成分で表した場合に、ｙ成分のみを０に近づけるように作用する。
【００４５】
また、一対の第２側方レンズ部分１６は、Ｘ軸を含む平面で切断した場合の断面形状が、発光素子３からの発散光を発散状態のままで通過させるものとなっており、Ｙ軸を含む平面で切断した場合の断面形状は、図２（ｃ）に示す第１側方レンズ部分１４と同様に、発光素子３からの発散光をＸＹ平面の方向に屈折させる正のパワーを備えたものとなっている。言い換えると、第２側方レンズ部分１６は、当該部分を通過する光を（ｘ,ｙ,ｚ）成分で表した場合に、ｚ成分のみを０に近づけるように作用する。
【００４６】
なお、発光素子３は、第１凹部２８および第２凹部２９によって基板２上に形成された空間内に収納されており、光源レンズ４は発光素子３の発光面３ａをＺ軸方向の前方から覆っている。より詳細には、第１部位１１が発光面３ａのＸ軸のプラス側をＺ軸方向の前方から覆っており、第２部位１２が発光面３ａのＸ軸のマイナス側をＺ軸方向の前方から覆っている。
【００４７】
本例では、発光素子３から放射されてＹＺ平面からＸ軸のプラス側を通過する発散光のうち、ＸＺ平面に対しておよそ０°から４５°の方向に放射された光が第１中央レンズ部分１３を透過する。第１中央レンズ部分１３を通過する光は、図２（ｃ）に示すように、ＸＺ平面の方向に屈折させられ、その透過光はＸＺ平面に平行な方向に放射される。
【００４８】
また、発光素子３から放射されてＹＺ平面からＸ軸のプラス側を通過する発散光のうち、ＸＺ平面に対しておよそ４５°から９０°の方向に放射された光が第１側方レンズ部分１４を通過する。第１側方レンズ部分１４を通過する光は、ＹＺ平面の方向並びにＸＹ平面の方向に屈折させられ、その透過光はＹＺ平面並びにＸＹ平面に平行な方向に放射される。
【００４９】
さらに、発光素子３から放射されて、ＹＺ平面よりもＸ軸のマイナス側を通過する発散光のうちＺ軸に対しておよそ０°から４５°の方向に放射された光が、一部を除いて、直接、第２中央レンズ部分１５を透過する。直接第２中央レンズ部分１５を通過する光はＸＺ平面の方向に屈折させられ、その透過光はＸＺ平面に平行な方向に放射される。
【００５０】
また、発光素子３から放射されてＹＺ平面よりもＸ軸のマイナス側に向う発散光のうち、Ｚ軸に対しておよそ４５°から９０°の方向に放射された光が、一部を除いて、直接、第２側方レンズ部分１６を通過する。第２側方レンズ部分１６を通過する光は、Ｘ軸のマイナス方向に向うとともに、ＸＹ平面の方向に屈折させられ、その透過光はＸＹ平面に平行な方向に放射される。
【００５１】
なお、発光素子３から放射されて、ＹＺ平面よりもＸ軸のマイナス側に向う発散光のうち、第２中央レンズ部分１５または第２側方レンズ部分１６に直接達しない一部の光は、第１反射鏡５によってＹＺ平面の側に向かって反射され、しかる後に、光源レンズ４を透過する。
【００５２】
ここで、上記光源レンズは、光源の２波長のピークの中心波長を用いて設計されるものである。また、単一波長の光源の場合には当該波長により、複数波長の光源の場合は中心波長で設計されるものである。
【００５３】
（反射鏡）
第１反射鏡５は、ＹＺ平面と平行で光源レンズ４の側を向いている第１反射面５ａを備えている。第１反射面５ａは、図２（ｂ）に示すように、Ｘ軸のマイナス方向に向う第２中央レンズ部分１５の透過光を、ＹＺ平面の方向に反射する。本例では、第１反射鏡５のＺ軸方向の寸法は、光源レンズ４のＺ軸方向の高さ寸法の２倍以上となっている。
【００５４】
一対の第２反射鏡６のそれぞれは、図２（ｃ）に示すように、光源レンズ４の側を向き、Ｚ軸の前方に向かってＸＺ平面から離れる方向に傾斜している第２反射面６ａを備えている。本例では、第２反射面６ａは発光素子３の発光面３ａに対して４５°傾斜している。第２反射面６ａは、第１側方レンズ部分１４の透過光および第２側方レンズ部分１６の透過光を、ＸＺ平面の方向に反射する。
【００５５】
ここで、第１側方レンズ部分１４を通過する光は、ＸＹ平面の方向、並びに、ＹＺ平面の方向に屈折させられている。また、第２側方レンズ部分１６を通過する光はＹＺ平面よりもＸ軸のマイナス方向に向かって放射されており、ＸＹ平面の方向に屈折させられている。従って、第１側方レンズ部分１４を通過する光、および、第２側方レンズ部分１６を通過する光が屈折させられていない場合と比較して、これらの透過光を、Ｘ軸方向およびＺ軸方向において、小さな反射鏡で反射できる。本例では、一対の第２反射鏡６のＺ軸方向の前端は、光源レンズ４のＺ軸方向の前端よりも僅かに上方に位置している。
【００５６】
（配光特性）
図５（ａ）は光源装置１の配光特性を天頂角度と方位角度相対値で示す扇グラフであり、図５（ｂ）は光源装置１の配光特性を方位角度と天頂角度相対値で示す等高線グラフである。本例によれば、発光素子３からの発散光のうち第１中央レンズ部分１３および第２中央レンズ部分１５を透過した透過光は、ＸＺ平面に沿って、Ｙ軸方向の幅が狭められた線状となる。
【００５７】
また、本例によれば、発光素子３からの発散光のうち、第１側方レンズ部分１４を透過する光は、ＸＹ平面並びにＹＺ平面と平行な方向に屈折させられており、第２側方レンズ部分１６を通過する光はＹＺ平面よりもＸ軸のマイナス方向に向かって放射されて、ＸＹ平面の方向に屈折させられている。この結果、第１側方レンズ部分１４の透過光および第２側方レンズ部分１６の透過光は第１中央レンズ部分１３および第２中央レンズ部分１５の透過光とは重ならない方向に放射されているが、これらの透過光は、第２反射鏡６によってＺ軸を含むＸＺ平面に平行な方向に反射させられている。
【００５８】
以上のような配光制御の結果、光源装置１によれば、図５に示すように、方位角度２７０°の側に線状の照射範囲を得ることができる。
【００５９】
本例では、光源レンズ４が第１中央レンズ部分１３のＸ軸のマイナス方向に連続する第２中央レンズ部分１５を備えているので、光源装置１による線状の照射範囲が長い。
【００６０】
また、本例では、光源レンズ４のＸ軸のマイナス方向に配置された第１反射鏡５によって、Ｘ軸のマイナス方向に向う第２中央レンズ部分１５の透過光をＹＺ平面側に反射するので、照射範囲の光度が高まる。
【００６１】
（実施例１の変形例１）
発光素子として、上記の発光素子３に替えて、第２の発光素子７を用いた実施例１の変形例１の光源装置を説明する。なお、本例の光源装置は、発光素子３を除いて上記の実施例１と同一の構成を備えているので、その構成の説明は省略する。
【００６２】
図６（ａ）は第２の発光素子７の配光特性を天頂角度と方位角度相対値で示す扇グラフであり、図６（ｂ）は第２の発光素子７の配光特性を方位角度と天頂角度相対値で示す等高線グラフである。第２の発光素子７は、環状に強い光を射出する発光ダイオードである。
【００６３】
図７（ａ）は本例の光源装置の配光特性を天頂角度と方位角度相対値で示す扇グラフであり、図７（ｂ）は本例の光源装置の配光特性を方位角度と天頂角度相対値で示す等高線グラフである。本例の光源装置においても、Ｙ軸方向の射出角度が狭まっており、方位角度２７０°の側に線状の照射範囲が形成される。なお、本例の光源装置では、天頂角度４０°、方位角度２７０°の側に強いスポット光が発生する。
【００６４】
（実施例１の変形例２）
発光素子として、上記の発光素子３に替えて、第３の発光素子８を用いた実施例１の変形例２の光源装置を説明する。なお、本例の光源装置は、発光素子３を除いて上記の実施例１と同一の構成を備えているので、その構成の説明は省略する。
【００６５】
図８（ａ）は第３の発光素子８の配光特性を天頂角度と方位角度相対値で示す扇グラフであり、図８（ｂ）は第３の発光素子８の配光特性を方位角度と天頂角度相対値で示す等高線グラフである。第３の発光素子８は、所謂、高輝度タイプの発光ダイオードである。
【００６６】
図９（ａ）は本例の光源装置の配光特性を天頂角度と方位角度相対値で示す扇グラフであり、図９（ｂ）は本例の光源装置の配光特性を方位角度と天頂角度相対値で示す等高線グラフである。本例の光源装置においても、Ｙ軸方向の射出角度が狭まっており、方位角度２７０°の側に線状の照射範囲が形成される。なお、本例の光源装置では、天頂角度９０°、方位角度２７０°の側にスポット光が発生する。
【００６７】
以上の説明では、もっとも理想的な光源レンズ４について記述したが、別目的のためにこの光源レンズ４の形状をアレンジすることも可能である。
【００６８】
ここで、第１中央レンズ部分１３は、当該部分を通過する光を（ｘ,ｙ,ｚ）成分で表した場合に、主にｙ成分を０に近づけるような形状であればよく、必ずしもｘ成分・ｚ成分をそのまま維持するものである必要はない。
【００６９】
第１側方レンズ部分１４は、当該部分を通過する光を（ｘ,ｙ,ｚ）成分で表した場合に、主にｚ成分とｘ成分を０に近づけるような形状であればよく、必ずしもｙ成分をそのまま維持するものである必要はない。
【００７０】
第２中央レンズ部分１５は、当該部分を通過する光を（ｘ,ｙ,ｚ）成分で表した場合に、ｙ成分のみを０に近づけるような形状であればよく、必ずしもｘ成分・ｚ成分をそのまま維持するものである必要はない。
【００７１】
第２側方レンズ部分１６は、当該部分を通過する光を（ｘ,ｙ,ｚ）成分で表した場合に、ｚ成分のみを０に近づけるような形状であればよく、必ずしもｘ成分・ｙ成分をそのまま維持するものである必要はない。
【００７２】
なお、後述する第２および第３実施例に記載の光源レンズにおいても、別目的のためにこのように形状をアレンジすることも可能である。
【００７３】
［実施例２］
次に、実施例１とは異なる発光素子および異なる光源レンズを用いた光源装置の実施例２を説明する。本例においても、発光素子の発光面の発光中心点Ｐを原点Ｏとし、原点Ｏで直交して発光面と同一平面上を延びる二軸をＸ軸およびＹ軸、原点Ｏから発光面の前方に垂直に延びる軸をＺ軸とする。
【００７４】
図１０（ａ）は本例の光源装置の平面図であり、図１０（ｂ）は本例の光源装置をＸＺ平面で切断した断面図であり、図１０（ｃ）は本例の光源装置をＹＺ平面で切断した断面図である。実施例２の光源装置１Ａは、第１反射鏡５を備えていない。なお、本例の光源装置１Ａは、実施例１と対応する構成を備えているので、対応する部分には同一の符号を付して、その説明を省略する。
【００７５】
（発光素子）
本例では、第２の発光素子７を用いている。第２の発光素子７の配光特性は、図６に示すものである。
【００７６】
（光源レンズ）
光源レンズ４Ａは、第２の発光素子７の発光面７ａのＺ軸方向の前方に位置する中央レンズ部分４３と、Ｙ軸方向において中央レンズ部分４３の両端に形成されている一対の側方レンズ部分４４を備えている。
【００７７】
中央レンズ部分４３は、Ｘ軸を含む平面で切断した場合の断面形状が、図１０（ｂ）に示すように、第２の発光素子７からの発散光を発散状態のままで通過させるものとされている。また、中央レンズ部分４３は、Ｙ軸を含む平面で切断した場合の断面形状が、図１０（ｃ）に示すように、第２の発光素子７からの発散光をＸＺ平面の方向に屈折させる正のパワーを備えたものとされている。言い換えると、中央レンズ部分１３は、当該部分を通過する光を（ｘ,ｙ,ｚ）成分で表した場合に、ｙ成分のみを０に近づけるように作用する。
【００７８】
側方レンズ部分４４のそれぞれは、Ｘ軸を含む平面で切断した場合の断面形状が第２の発光素子７からの発散光をＹＺ平面の方向に屈折させる正のパワーを備えたものとされており、Ｙ軸を含む平面で切断した場合の断面形状が、図１０（ｃ）に示すように、第２の発光素子７からの発散光をＸＹ平面の方向に屈折させる正のパワーを備えたものとされている。言い換えると、側方レンズ部分４４は、当該部分を通過する光を（ｘ,ｙ,ｚ）成分で表した場合に、ｚ成分とｘ成分を０に近づけるように作用する。
【００７９】
ここで、中央レンズ部分４３および一対の側方レンズ部分４４は、Ｙ軸を中心として、図１０（ｃ）に示す断面形状（同一断面形状）５０ａを回転させることにより得られる回転体５０であり、図１０（ｂ）の矢印に示すように、ＸＹ平面からＸ軸のマイナス方向に向かって１８０°の角度範囲に渡って形成されている。
【００８０】
断面形状５０ａは、図１０（ｃ）に示すＹＺ平面上では、Ｚ軸に対して対称であり、Ｚ軸と交差してＺ軸の前方に突出する第１円弧部分５１と、円弧部分の両端からそれぞれＹ軸方向に突出する一対の第２円弧部分５２を備えている。第１円弧部分５１を規定している円の中心５１ａは、Ｚ軸上において発光面７ａから前方に離れた位置にある。また、一対の第２円弧部分５２をそれぞれ規定している円の中心５２ａは、Ｙ軸上において、発光面７ａから外側に離れた位置にある。図１０（ａ）、（ｃ）に示すように、第１円弧部分５１によって中央レンズ部分４３の外側面４３ａの形状が規定されており、第２円弧部分５２によって側方レンズ部分４４の外側面４４ａの形状が規定されている。
【００８１】
一対の第２円弧部分５２の後端の間は、図１０（ｃ）に示すように、一方の第２円弧部分５２の後端からＹ軸上を延びる第１直線部分５３と、第１直線部分５３の端からＺ軸方向を前方に延びる第２直線部分５４と、第２直線部分５４の端からＹ軸方向に延びる第３直線部分５５と、第３直線部分５５の端からＺ軸方向を後方に延びる第４直線部分５６と、第４直線部分５６の端から他方の第２円弧部分５２の後端までＹ軸上を延びる第５直線部分５７によって連続させられている。第３直線部分５５の寸法は、第１円弧部分５１のＹ軸方向の寸法と同一となっており、第２直線部分５４、第３直線部分５５および第４直線部分５６によって、中央レンズ部分４３および側方レンズ部分４４の内側に形成されている凹部５８の形状が規定されている。
【００８２】
ここで、第２の発光素子７は、凹部５８によって基板２上に形成された空間内の中央に収納されている。光源レンズ４Ａは第２の発光素子７の発光面７ａをＺ軸方向の前方から覆っている。
【００８３】
本例では、第２の発光素子７からの発散光のうち、ＸＺ平面に対しておよそ０°から４５°の方向に放射された光が中央レンズ部分４３を透過する。中央レンズ部分４３を通過する光はＸＺ平面の方向に屈折させられ、その透過光はＸＺ平面に平行な方向に放射される。
【００８４】
また、第２の発光素子７からの発散光のうち、ＸＺ平面に対しておよそ４５°から９０°の方向に放射された光が側方レンズ部分４４を通過する。側方レンズ部分４４を通過する光は、ＹＺ平面の方向並びにＸＹ平面の方向に屈折させられ、その透過光はＹＺ平面並びにＸＹ平面に平行な方向に放射される。しかる後に、側方レンズ部分４４の透過光は、第２反射鏡６によって、Ｚ軸を含むＸＺ平面に平行な方向に反射させられる。
【００８５】
（配光特性）
図１１（ａ）は光源装置１Ａの配光特性を天頂角度と方位角度相対値で示す扇グラフであり、図１１（ｂ）は第２の発光素子７の配光特性を方位角度と天頂角度相対値で示す等高線グラフである。図１１に示すように、本例の光源装置１Ａによれば、Ｙ軸方向の射出角度が狭まっており、方位角度９０°の側、および、２７０°の側に、線状の照射範囲が形成される。光源装置１Ａによれば、実施例１の光源装置１よりも長い照射範囲が得られている。
【００８６】
なお、実施例２の光源レンズ４Ａは、断面形状が１８０°の角度範囲に渡る回転体として形成されているが、９０°〜１８０°のいずれの角度の角度範囲に渡る回転体として形成されていてもよい。
【００８７】
また、光源装置１ＡのＸ軸のマイナス方向の隣接位置に第１反射鏡５を配置してもよい。この場合には、光源装置１Ａによる線状の照射範囲は短くなるが、第１反射鏡５による反射光によって、この照射範囲の光度を高めることができる。
【００８８】
［実施例３］
次に、実施例１とは異なる発光素子および異なる光源レンズを用いた光源装置の実施例３を説明する。本例では、発光素子の発光面と同一平面上で発光面の発光中心点Ｐから外れている位置を原点Ｏとし、原点Ｏおよび発光点を通過して延びる軸をＸ軸、原点ＯでＸ軸に直交して発光面と同一平面上を延びる軸をＹ軸、原点ＯでＸ軸およびＹ軸と直交して発光面の前方に延びる軸をＺ軸とする。図１２（ａ）は本例の光源装置の平面図であり、図１２（ｂ）は本例の光源装置をＸＺ平面で切断した断面図であり、図１２（ｃ）は本例の光源装置をＹＺ平面で切断した断面図である。図１２に示すように、原点Ｏは、第３の発光素子８の発光面８ａからＸ軸上をマイナス側に外れた位置であって、発光面８ａの外周縁の近傍にある。なお、本例の光源装置１Ｂは、実施例１と対応する構成を備えているので、対応する部分には同一の符号を付して、その説明を省略する。
【００８９】
（発光素子）
本例では、第３の発光素子８を用いている。第３の発光素子８の配光特性は、図８に示すものである。
【００９０】
（光源レンズ）
光源レンズ４Ｂは、Ｚ軸方向の前方に位置して第３の発光素子８の発光面８ａの全面を前側から覆っている中央レンズ部分６３と、Ｙ軸方向において中央レンズ部分６３の両端に形成されている一対の側方レンズ部分６４を備えている。Ｘ軸方向のプラス側から光源レンズ４Ｂを見たときに、中央レンズ部分６３は、ＸＺ平面を挟んでＹ軸方向の右側に位置する右側レンズ部分６３１と、左側に位置する左側レンズ部分６３２を備えている。右側レンズ部分６３１と左側レンズ部分６３２はＸＺ平面に対して面対称となっている。
【００９１】
中央レンズ部分６３は、Ｘ軸を含む平面で切断した場合の断面形状が、図１２（ｂ）に示すように、第３の発光素子８からの発散光を発散状態のままで通過させるものとされている。また、中央レンズ部分６３は、Ｙ軸を含む平面で切断した場合の断面形状が、図１２（ｃ）に示すように、第３の発光素子８からの発散光をＸＺ平面の方向に屈折させる正のパワーを備えたものとされている。
【００９２】
側方レンズ部分６４のそれぞれは、Ｘ軸を含む平面で切断した場合の断面形状が第３の発光素子８からの発散光をＹＺ平面の方向に屈折させる正のパワーを備えたものとされており、Ｙ軸を含む平面で切断した場合の断面形状が、図１２（ｃ）に示すように、第３の発光素子８からの発散光をＸＹ平面の方向に屈折させる正のパワーを備えたものとされている。
【００９３】
ここで、中央レンズ部分６３および一対の側方レンズ部分６４は、Ｙ軸を中心として、図１２（ｃ）に示す断面形状（同一断面形状）７０ａを回転させることにより得られる回転体７０であり、図１２（ａ）の矢印に示すように、ＸＹ平面からＸ軸のマイナス方向に向かって９０°の角度範囲に渡って形成されている。
【００９４】
断面形状７０ａは、図１２（ｃ）に示すＹＺ平面上では、Ｚ軸に対して対称であり、Ｚ軸方向の前方に突出する凸曲線部分７１と、光源レンズ４ＢをＸ軸方向のプラス側から見たときに、凸曲線部分７１の左右の両端からそれぞれＹ方向に突出する一対の円弧部分７２を備えている。
【００９５】
凸曲線部分７１は、Ｚ軸を挟んで右側に位置する右側凸曲線部分７１１と左側に位置する左側凸曲線部分７１２を備えており、右側凸曲線部分７１１によって右側レンズ部分６３１の外側面６３１ａの形状が規定されており、左側凸曲線部分７１２によって左側レンズ部分６３２の外側面６３２ａの形状が規定されている。従って、右側凸曲線部分７１１および左側凸曲線部分７１２によって中央レンズ部分６３の外側面６３ａの形状が規定されている。
【００９６】
一対の円弧部分７２は、Ｚ軸を挟んで右側に位置する右側円弧部分７２１と、左側の左側円弧部分７２２を備えている。右側円弧部分７２１および左側の左側円弧部分７２２をそれぞれ規定する円の中心７２ａは、Ｙ軸上において発光面８ａから外側に離れた位置にある。一対の円弧部分７２によって、一対の側方レンズ部分６４の外側面６４ａの形状が規定されている。
【００９７】
ここで、右側凸曲線部分７１１と、一対の円弧部分７２のうちＺ軸よりも右側に位置している右側円弧部分７２１とは、Ｚ軸に対して右側に４５°の角度で傾斜している対称軸Ｌ１に対して線対称となっており、左側凸曲線部分７１２と、Ｚ軸よりも左側に位置している左側円弧部分７２２は、Ｚ軸に対して左側に４５°の角度で傾斜している対称軸Ｌ２に対して線対称となっている。
【００９８】
一対の円弧部分７２の後端の間は、右側円弧部分７２１の後端から右側に向かってＹ軸上を延びる第１直線部分７３と、第１直線部分７３の端からＺ軸方向を前方に延びる第２直線部分７４と、第２直線部分７４の端からＹ軸方向に向かってＺ軸方向を前方に傾斜して延びる第３直線部分７５と、第３直線部分７５の端からＹ軸方向に向かってＺ軸方向を後方に傾斜して延びる第４直線部分７６と、第４直線部分７６の端からＺ軸方向を後方に延びる第５直線部分７７と、第５直線部分７７の端から左側円弧部分７２２の後端までＹ軸上を延びる第６直線部分７８によって連続させられている。第３直線部分７５のＹ軸方向における寸法は右側凸曲線部分７１１のＹ軸方向における寸法と同一となっており、および第４直線部分７６のＹ軸方向における寸法は、左側凸曲線部分７１２のＹ軸方向における寸法と同一となっている。また、第２直線部分７４、第３直線部分７５、第４直線部分７６および第５直線部分７７によって、中央レンズ部分６３および側方レンズ部分６４の内側に形成されている凹部７９の形状が規定されている。
【００９９】
ここで、第３の発光素子８は、凹部７９によって基板２上に形成された空間内に収納されている。光源レンズ４Ｂは第３の発光素子８の発光面８ａをＺ軸方向の前方から覆っている。
【０１００】
本例では、第３の発光素子８からの発散光のうち、ＸＺ平面に対しておよそ０°から４５°の方向に放射された光が、一部を除いて、直接、中央レンズ部分６３を透過する。中央レンズ部分６３を透過する光は、ＸＺ平面の方向に屈折させられ、その透過光はＸＺ平面に平行な方向に放射される。中央レンズ部分６３の透過光のうち、Ｘ方向をＸ軸のマイナス方向に向う光は、第１反射鏡５によってＹＺ平面の方向に反射される。
【０１０１】
また、第３の発光素子８からの発散光のうち、ＸＺ平面に対しておよそ４５°から９０°の方向に放射された光が、一部を除いて、直接、側方レンズ部分６４を通過する。側方レンズ部分６４を通過する光は、ＹＺ平面の方向並びにＸＹ平面の方向に屈折させられ、その透過光はＹＺ平面並びにＸＹ平面に平行な方向に放射される。しかる後に、側方レンズ部分６４の透過光は、第２反射鏡６によってＸＺ平面の方向に反射される。
【０１０２】
なお、第３の発光素子８からＸＺ平面に対しておよそ０°から４５°の方向に放射された光のうち中央レンズ部分６３に直接達しない一部の光、および、ＸＺ平面に対しておよそ４５°から９０°の方向に放射された光のうち側方レンズ部分６４に直接達しない一部の光は、第１反射鏡５によってＹＺ平面の方向に反射されて、光源レンズ４Ｂを透過する。
【０１０３】
（配光特性）
図１３（ａ）は光源装置１Ｂの配光特性を天頂角度と方位角度相対値で示す扇グラフであり、図１３（ｂ）は光源装置１Ｂの配光特性を方位角度と天頂角度相対値で示す等高線グラフである。図１３に示すように、本例の光源装置１Ｂによれば、Ｙ軸方向の射出角度が狭まっており、方位角度２７０°の側に線状の照射範囲が形成される。また、光源装置１Ｂによれば、中央レンズ部分６３を右側レンズ部分６３１および左側レンズ部分６３２から構成したことによって天頂角度９０°、方位角度２７０°の側の光線が分散され、実施例１の光源装置１よりも太い照射範囲が得られている。
【０１０４】
また、本例によれば、第３の発光素子８の発光面８ａと光源レンズ４Ｂの位置関係の基準となる原点を発光面８ａから外れた位置としているので、中央レンズ部分６３および側方レンズ部分６４のみからなる光源レンズ４Ｂによって発光面８ａをＺ軸方向の前方から覆うことが可能となっている。従って、光源レンズ４Ｂを小さく構成することができる。
【０１０５】
なお、実施例３の光源レンズ４Ｂの替わりに、実施例１の第１部位１１と同一形状を備える光源レンズを用いても、線状の照射範囲を得ることができる。
【０１０６】
ここで、上記の実施例１〜３では、発光素子を一つの発光ダイオードとしているが、発光素子として、複数の発光素子を有し、複数の発光素子が全体として一つの発散光を放射しているものを用いることができる。
【０１０７】
また、上記の実施例１〜３では、第１中央レンズ部分１３、第１側方レンズ部分１４、第２中央レンズ部分１５、第２側方レンズ部分１６、中央レンズ部分４３、側方レンズ部分４４、中央レンズ部分６３、側方レンズ部分６４などを、それぞれ、細分化された複数のレンズ部分から構成することもできる。
【０１０８】
さらに、上記の実施例１〜３では、光源レンズ４、４Ａ、４Ｂは、いずれもＸＺ平面に対して面対称に形成されているが、これらを非対称に形成してもよい。
【０１０９】
［実施例４］
（全体構成）
図１４は本例の光源装置の概観斜視図である。図１５（ａ）は光源装置をＺ軸の前方から見た平面図であり、図１５（ｂ）は光源装置をＹ軸方向から見た側面図である。図１５（ｂ）では、一対の第２反射鏡６のうちの一方を取り除いた状態を示している。なお、実施例４の光源装置１Ｃは、第４の発光素子８０および光源レンズ８１を除いて上記の実施例１と同一の構成を備えているので、対応する構成には同一の符号を付して説明する。
【０１１０】
図１４に示すように、本例の光源装置１Ｃは、基板２と、この基板２に形成された配線パターンに接続された第４の発光素子８０を備えている。基板２の表面には第４の発光素子８０の発光面８０ａを覆うように光源レンズ８１が固定されており、第４の発光素子８０は光源レンズ８１の内側に収納されている。なお、本例では、発光面８０ａの発光中心点Ｐを原点Ｏとし、原点Ｏで直交して発光面８０ａと同一平面上を延びる二軸をＸ軸およびＹ軸、原点Ｏから発光面８０ａの前方に垂直に延びる軸をＺ軸として説明する。また、Ｘ軸方向の一方をプラス方向、他方をマイナス方向として説明する。
【０１１１】
光源レンズ８１のＺ軸方向の側およびＸ軸のプラス方向の側は開放状態とされている。光源レンズ８１のＸ軸のマイナス方向には第１反射鏡５が隣接配置されている。光源レンズ８１のＹ軸方向の両側には一対の第２反射鏡６が隣接配置されている。
【０１１２】
（発光素子）
本例において、光源として用いた第４の発光素子８０は、青色の発散光を放射する発光素子（青色発光ダイオード）を蛍光体により励起させ、黄色と青色の混合色による疑似白色の発散光を放射するものであり、発散光には青色の波長ピークと黄色の波長ピークが存在する。第４の発光素子８０の配光は、実施例１の発光素子３と同様に図３に示すランバート分布である。
【０１１３】
（光源レンズ）
図１６（ａ）は光源装置１ＣをＸＺ平面で切断した断面図であり、図１６（ｂ）は光源装置１ＣをＹＺ平面で切断した断面図である。光源レンズ８１は、エポキシ樹脂やポリカーボネート樹脂などの光透過性樹脂を射出成形することによって形成されている。図１４、図１５（ａ）に示すように、光源レンズ８１は、ＹＺ平面よりもＸ軸のプラス側に位置する第１部位８２と、ＹＺ平面よりもＸ軸のマイナス側に位置する第２部位８３を備えている。第１部位８２は第４の発光素子８０からの発散光のうちＹＺ平面よりもＸ軸のプラス側を通過する光を配光制御し、第２部位８３は第４の発光素子８０からの発散光のうちＹＺ平面よりもＸ軸のマイナス側を通過する光を配光制御する。
【０１１４】
第１部位８２は、発光面８０ａのＺ軸方向の前方に位置する第１中央レンズ部分（中央レンズ部分）８４と、Ｙ軸方向において第１中央レンズ部分８４の両端に形成されている一対の第１側方レンズ部分（側方レンズ部分）８５を備えている。第２部位８３は、第１中央レンズ部分８４のＸ軸のマイナス方向の端に形成されている第２中央レンズ部分８６と、各第１側方レンズ部分８５のＸ軸のマイナス方向の端に形成されている一対の第２側方レンズ部分８７を備えている。
【０１１５】
第１中央レンズ部分８４は、ＸＺ平面と平行な平面で切断した場合の断面形状が、図１６（ａ）に示すように、１／４の円弧形状となっている。また、第１中央レンズ部分８４は、Ｙ軸を含む平面で切断した場合の断面形状が、図１６（ｂ）に示すように、Ｙ軸と平行に直線状に延びるものとなっている。第１中央レンズ部分８４の外側面は、発光素子からの発散光をＸＺ平面の方向に屈折させる正のパワーを備える中央フルネルレンズ面８８とされている。第１中央レンズ部分８４は、当該部分を通過する光を（ｘ,ｙ,ｚ）成分で表した場合に、ｙ成分のみを０に近づけるように作用する。
【０１１６】
第１側方レンズ部分８５のそれぞれは、図１５（ｂ）に示すように、側面形状が、中心角が９０°の扇形となっている。また、第１側方レンズ部分８５のそれぞれは、Ｙ軸を含む平面で切断した場合の断面形状が、図１６（ｂ）に示すように、Ｙ軸と直交する方向に直線状に延びるものとなっている。各第１側方レンズ部分８５の外側面は、発光素子からの発散光をＹＺ平面の方向に屈折させる正のパワー、および、発光素子からの発散光をＸＹ平面の方向に屈折させる正のパワーを備える側方フルネルレンズ面８９とされている。第１側方レンズ部分８５のそれぞれは、当該部分を通過する光を（ｘ,ｙ,ｚ）成分で表した場合に、ｚ成分とｘ成分を０に近づけるように作用する。
【０１１７】
ここで、第１中央レンズ部分８４および一対の第１側方レンズ部分８５は、中央フルネルレンズ面８８、側方フルネルレンズ面８９のレンズ形状までも含めて、Ｙ軸を中心として、図１６（ｂ）に示す断面形状（同一断面形状）９０ａを回転させることにより得られる回転体９０であり、図１６（ａ）の矢印に示すように、ＸＹ平面からＸ軸のマイナス方向に向かって９０°の角度範囲に渡って形成されている。
【０１１８】
断面形状９０ａは、図１６（ｂ）に示すＹＺ平面上では、Ｚ軸に対して対称の門形状をしており、Ｚ軸と交差してＹ軸と平行に延びている略矩形の平行部分９１と、平行部分９１の両端からそれぞれＹ軸と垂直に延びている略矩形の一対の垂直部分９２を備えている。図１４、図１５に示すように、平行部分９１によって第１中央レンズ部分８４の形状が規定されており、一対の垂直部分９２によって一対の第１側方レンズ部分８５の形状が規定されている。
【０１１９】
次に、第２中央レンズ部分８６および一対の第２側方レンズ部分８７は、第１中央レンズ部分８４および第１側方レンズ部分８５のＹＺ平面上の端面、すなわち、図１６（ｂ）に示す断面形状９０ａを備えている端面を、中央フルネルレンズ面８８および側方フルネルレンズ面８９のレンズ形状までも含めて、Ｘ軸のマイナス方向に所定長さだけ平行移動することにより得られる平行移動体となっている。より詳細には、断面形状９０ａの平行部分９１によって第２中央レンズ部分８６の形状が規定されており、垂直部分９２によって第２側方レンズ部分８７の形状が規定されている。
【０１２０】
これにより、第２中央レンズ部分８６は、第４の発光素子８０からの発散光をＸＺ平面の方向に屈折させる正のパワーを備えたものとなっている。言い換えると、第２中央レンズ部分８６は、当該部分を通過する光を（ｘ,ｙ,ｚ）成分で表した場合に、ｙ成分のみを０に近づけるように作用する。
【０１２１】
また、一対の第２側方レンズ部分８７は、第４の発光素子８０からの発散光をＸＹ平面の方向に屈折させる正のパワーを備えたものとなっている。言い換えると、第２側方レンズ部分８７は、当該部分を通過する光を（ｘ,ｙ,ｚ）成分で表した場合に、ｚ成分を０に近づけるように作用する。
【０１２２】
なお、第４の発光素子８０は光源レンズ８１によって基板２上に形成された空間内に収納されており、光源レンズ８１は第４の発光素子８０の発光面８０ａをＺ軸方向の前方から覆っている。より詳細には、第１部位８２が発光面８０ａのＸ軸のプラス側をＺ軸方向の前方から覆っており、第２部位８３が発光面８０ａのＸ軸のマイナス側をＺ軸方向の前方から覆っている。
【０１２３】
（フルネルレンズ面）
図１７は光源レンズ８１をＹＺ平面で切断した断面形状９０ａにおける平行部分９１および垂直部分９２の部分拡大図である。図１７に示すように、中央フルネルレンズ面８８は、平行部分９１の外側部分の一定厚さＤ１の範囲に形成されている。側方フルネルレンズ面８９は、垂直部分９２の外側部分の一定厚さＤ２の範囲に形成されている。
【０１２４】
中央フルネルレンズ面８８において、Ｙ軸方向において第４の発光素子８０が位置する内側に向かってＺ軸の前方に傾斜している第１傾斜レンズ部分９４は、発散光をＸＺ平面の側に屈折させる機能を担っている。より詳細には、Ｙ軸方向において隣接している一方の第１傾斜レンズ部分９４（１）と他方の第１傾斜レンズ部分９４（２）は、一方の第１傾斜レンズ部分９４（１）が黄色の発散光Ｙを高効率でＸＺ平面の側に屈折させる機能を担っており、他方の第１傾斜レンズ部分９４（２）が青色の発散光Ｂを高効率でＸＺ平面の側に屈折させる機能を担っている。言い換えると、第１傾斜レンズ部分９４は互い違いに、青色発散光と黄色発散光に対応したレンズ面となっている。これにより、光源レンズ８１がアッベ数の低い材料（分散が大きい材料）から形成されている場合でも、光源レンズ８１を介して放出される光に色むらが発生することが抑制される。
【０１２５】
中央フルネルレンズ面８８において、第１傾斜レンズ部分９４のＺ軸方向の前端からＹ軸方向において第４の発光素子８０が位置する内側に向かってＺ軸の後方に傾斜している第２傾斜レンズ部分９５は、その傾斜角度α１が、平行部分９１に入射して第２傾斜レンズ部分９５の後端に達する光線の屈折角度β１と一致するように形成されている。これにより、光源レンズ８１を介して放出される光線が迷光となることが抑制され、光源からの光を高効率で利用することができる。また、このような傾斜とすることにより、金型の離型方向（α１＝９０°の方向）と第２傾斜レンズ部分９５が平行となるのを避け逃げ角を持たせることができる。さらに、第１傾斜レンズ部分９４と第２傾斜レンズ部分９５によって形成される角度θ１が鋭角になることを回避することができるので、成形時に樹脂を先端まで容易に充填可能となり、光源レンズ８１の成形が容易となっている。さらに、第２傾斜レンズ部分９５の断面および第１傾斜レンズ部分９４の断面は直線状となっており、これにより、光源レンズ８１の成形が容易となっている。
【０１２６】
側方フルネルレンズ面８９において、Ｙ軸方向において第４の発光素子８０が位置する内側に向かってＺ軸の前方に傾斜している第３傾斜レンズ部分９６は、発散光をＸＹ平面の側に屈折させる機能を担っている。より詳細には、Ｙ軸方向において隣接している一方の第３傾斜レンズ部分９６（１）と他方の第３傾斜レンズ部分９６（２）は、一方の第３傾斜レンズ部分９６（１）が黄色の発散光Ｙ（黄色発光ダイオードから射出される発散光）をＸＹ平面の側に屈折させる機能を担っており、他方の第３傾斜レンズ部分９６（２）が青色の発散光Ｂ（青色発光ダイオードから射出される発散光）をＸＹ平面の側に屈折させる機能を担っている。これにより、光源レンズ８１がアッベ数の低い材料（分散が大きい材料）から形成されている場合でも、光源レンズ８１を介して放出される光に色むらが発生することが抑制される。なお、第３傾斜レンズ部分９６は、垂直部分９２がＹ軸回りに回転させられて回転体９０を構成したときには、発散光をＸＹ平面の側に屈折させる機能とともに、発散光をＹＺ平面の側に屈折させる機能も担うものとなる。
【０１２７】
側方フルネルレンズ面８９において、第３傾斜レンズ部分９６の外側の端からＹ軸方向において第４の発光素子８０が位置する内側に向かってＺ軸の後方に傾斜している第４傾斜レンズ部分９６は、その傾斜角度α２が、垂直部分９２に入射して第４傾斜レンズ部分９７の後端に達する光線の屈折角度β２と一致するように形成されている。これにより、光源レンズ８１を介して放出される光線が迷光となることが抑制される。また、このような傾斜とすることにより、第３傾斜レンズ部分９６と第４傾斜レンズ部分９７によって形成される角度θ２が鋭角になることを回避することができるので、光源レンズ８１の成形が容易となっている。さらに、第４傾斜レンズ部分９７の断面および第３傾斜レンズ部分９６の断面は直線状となっており、これにより、光源レンズ８１の成形が容易となっている。
【０１２８】
なお、発光素子が、３波長以上の光を含んでいる場合には、隣接している３つ以上の第３傾斜レンズ部分９６が、順番にそれぞれ異なる発光素子（発光ダイオード）の発散光を屈折させる機能を担うようにフルネルレンズ面を形成すればよい。また、発光素子が単一波長の光源の場合には当該波長に対応したフレネルレンズ面を形成する。ここで、発光素子が複数波長の場合は複数波長の中心波長で全てのフレネルレンズ面を形成してもよいが、この場合には、上記実施例と比較して、照射範囲に比較的多くムラが生じるという欠点がある。
【０１２９】
（光源レンズによる配光）
本例では、第４の発光素子８０から放射されてＹＺ平面からＸ軸のプラス側を通過する発散光のうち、ＸＺ平面に対しておよそ０°から４５°の方向に放射された光が第１中央レンズ部分８４を透過する。第１中央レンズ部分８４を通過する光は、図１６（ｂ）に示すように、ＸＺ平面の方向に屈折させられ、その透過光はＸＺ平面に平行な方向に放射される。
【０１３０】
また、第４の発光素子８０から放射されてＹＺ平面からＸ軸のプラス側を通過する発散光のうち、ＸＺ平面に対しておよそ４５°から９０°の方向に放射された光が第１側方レンズ部分８５を通過する。第１側方レンズ部分８５を通過する光は、ＹＺ平面の方向並びにＸＹ平面の方向に屈折させられ、その透過光はＹＺ平面並びにＸＹ平面に平行な方向に放射される。
【０１３１】
さらに、第４の発光素子８０から放射されて、ＹＺ平面よりもＸ軸のマイナス側を通過する発散光のうちＺ軸に対しておよそ０°から４５°の方向に放射された光が、一部を除いて、直接、第２中央レンズ部分８６を透過する。第２中央レンズ部分８６を通過する光はＸＺ平面の方向に屈折させられ、その透過光はＸＺ平面に平行な方向に放射される。
【０１３２】
また、第４の発光素子８０から放射されてＹＺ平面よりもＸ軸のマイナス側に向う発散光のうち、Ｚ軸に対しておよそ４５°から９０°の方向に放射された光が、一部を除いて、直接、第２側方レンズ部分８７を通過する。直接第２側方レンズ部分８７を通過する光は、Ｘ軸のマイナス方向に向うとともに、ＸＹ平面の方向に屈折させられ、その透過光はＸＹ平面に平行な方向に放射される。
【０１３３】
なお、第４の発光素子８０から放射されて、ＹＺ平面よりもＸ軸のマイナス側に向う発散光のうち、第２中央レンズ部分８６または第２側方レンズ部分８７に直接達しない一部の光は、第１反射鏡５によってＹＺ平面の側に向かって反射され、しかる後に、光源レンズ８１を透過する。
【０１３４】
（反射鏡）
反射鏡は、実施例１と同一のものである。第１反射鏡５は、ＹＺ平面と平行で光源レンズ８１の側を向いている第１反射面５ａを備えている。第１反射面５ａは、図１６（ａ）に示すように、Ｘ軸のマイナス方向に向う第２中央レンズ部分８６の透過光を、ＹＺ平面の方向に反射する。本例では、第１反射鏡５のＺ軸方向の寸法は、光源レンズ８１のＺ軸方向の高さ寸法の２倍以上となっている。
【０１３５】
一対の第２反射鏡６のそれぞれは、図１６（ｂ）に示すように、光源レンズ８１の側を向き、Ｚ軸の前方に向かってＸＺ平面から離れる方向に傾斜している第２反射面６ａを備えている。本例では、第２反射面６ａは第４の発光素子８０の発光面８０ａに対して４５°傾斜している。第２反射面６ａは、第１側方レンズ部分８５の透過光および第２側方レンズ部分８７の透過光を、ＸＺ平面の方向に反射する。
【０１３６】
ここで、第１側方レンズ部分８５を通過する光は、ＸＹ平面の方向、並びに、ＹＺ平面の方向に屈折させられている。また、第２側方レンズ部分８７を通過する光はＹＺ平面よりもＸ軸のマイナス方向に向かって放射されており、ＸＹ平面の方向に屈折させられている。従って、第１側方レンズ部分８５を通過する光、および、第２側方レンズ部分８７を通過する光が屈折させられていない場合と比較して、これらの透過光を、Ｘ軸方向およびＺ軸方向において、小さな反射鏡で反射できる。本例では、一対の第２反射鏡６のＺ軸方向の前端は、光源レンズ８１のＺ軸方向の前端よりも僅かに上方に位置している。
【０１３７】
（配光特性）
図１８（ａ）は光源装置１Ｃの配光特性を天頂角度と方位角度相対値で示す扇グラフであり、図１８（ｂ）は光源装置１Ｃの配光特性を方位角度と天頂角度相対値で示す等高線グラフである。本例によれば、第４の発光素子８０からの発散光のうち第１中央レンズ部分８４および第２中央レンズ部分８６を透過した透過光は、ＸＺ平面に沿って、Ｙ軸方向の幅が狭められた線状となる。
【０１３８】
また、本例によれば、第４の発光素子８０からの発散光のうち、第１側方レンズ部分８５を透過する光は、ＸＹ平面並びにＹＺ平面と平行な方向に屈折させられており、第２側方レンズ部分８７を通過する光はＹＺ平面よりもＸ軸のマイナス方向に向かって放射されて、ＸＹ平面の方向に屈折させられている。この結果、第１側方レンズ部分８５の透過光および第２側方レンズ部分８７の透過光は第１中央レンズ部分８４および第２中央レンズ部分８６の透過光とは重ならない方向に放射されているが、これらの透過光は、第２反射鏡６によってＺ軸を含むＸＺ平面に平行な方向に反射させられている。
【０１３９】
以上のような配光制御の結果、光源装置１Ｃによれば、図１８に示すように、方位角度２７０°の側に線状の照射範囲を得ることができる。
【０１４０】
本例では、光源レンズ８１が第１中央レンズ部分８４のＸ軸のマイナス方向に連続する第２中央レンズ部分８６を備えているので、光源装置１Ｃによる線状の照射範囲が長い。
【０１４１】
また、本例では、光源レンズ８１のＸ軸のマイナス方向に配置された第１反射鏡５によって、Ｘ軸のマイナス方向に向う第２中央レンズ部分８６の透過光をＹＺ平面側に反射するので、照射範囲の光度が高まる。
【０１４２】
ここで、図１９は本例の光源レンズ８１と実施例１の光源レンズ４の大きさの説明図である。図１９（ａ）は、同様の配光特性を備える実施例１の光源レンズ４および光源レンズ８１を重ねてＺ軸方向から見た平面図であり、図１９（ｂ）はこれらをＹ軸方向から見た側面図である。図１９に示されるように、本例の光源レンズ８１は、フルネルレンズ面を用いて発散光を屈折させているので、同様の配光特性を備える実施例１の光源レンズ４と比較して、小さく構成することができる。
【０１４３】
（実施例４の変形例１）
第４の発光素子８０として、上記の第４の発光素子８０に替えて、配光特性の異なる第５の発光素子を用いた実施例４の変形例１の光源装置を説明する。第５の発光素子は、発光素子として、黄色の発散光Ｙを放射する発光素子と青色の発散光Ｂを放射する発光素子を有し、全体として一つの白色の発散光を放射しているものである。その配光は、実施例１の変形例１の第２の発光素子７と同様の分布を示すものであり（図６参照）、環状に強い光を射出する。なお、本例の光源装置は、第５の発光素子を除いて実施例４の光源装置１Ｃと同一の構成を備えているので、その構成の説明は省略する。
【０１４４】
図２０（ａ）は本例の光源装置の配光特性を天頂角度と方位角度相対値で示す扇グラフであり、図２０（ｂ）は本例の光源装置の配光特性を方位角度と天頂角度相対値で示す等高線グラフである。本例の光源装置においても、Ｙ軸方向の射出角度が狭まっており、方位角度２７０°の側に線状の照射範囲が形成される。
【０１４５】
（実施例４の変形例２）
第４の発光素子８０として、上記の第４の発光素子８０に替えて、第６の発光素子を用いた実施例２の変形例２の光源装置を説明する。第６の発光素子は、発光素子として、黄色の発散光Ｙを放射する発光素子と青色の発散光Ｂを放射する発光素子を有し、全体として一つの白色の発散光を放射しているものである。その配光は、実施例１の変形例２の第３の発光素子８と同様の分布を示すものであり（図８参照）、所謂、高輝度タイプの発光ダイオードである。なお、本例の光源装置は、第６の発光素子を除いて実施例４の光源装置１Ｃと同一の構成を備えているので、その構成の説明は省略する。
【０１４６】
図２１（ａ）は変形例２の光源装置の配光特性を天頂角度と方位角度相対値で示す扇グラフであり、図２１（ｂ）は変形例２の光源装置の配光特性を方位角度と天頂角度相対値で示す等高線グラフである。変形例２の光源装置においても、Ｙ軸方向の射出角度が狭まっており、方位角度２７０°の側に線状の照射範囲が形成される。
【０１４７】
（実施例４の変形例３）
図２２（ａ）は実施例４の変形例３の光源装置の平面図であり、図２２（ｂ）は実施例４の変形例３の光源装置をＹＺ平面で切断した断面図である。図２２を参照して実施例４の変形例３の光源装置１Ｄを説明する。本例の光源装置１Ｄは、中央フルネルレンズ面８８Ａおよび側方フルネルレンズ面８９Ａを光源レンズ８１Ａの内側面に形成している。なお、本例の光源装置１Ｄは、上記の実施例４の光源装置１Ｃと同一の構成を備えているので、共通する部分には同一の符号を付して、その説明を省略する。
【０１４８】
本例では、光源レンズ８１Ａは、第１中央レンズ部分８４Ａの内側面が、発光素子からの発散光をＸＺ平面の方向に屈折させる正のパワーを備える中央フルネルレンズ面８８Ａとされている。第１中央レンズ部分８４Ａは、当該部分を通過する光を（ｘ,ｙ,ｚ）成分で表した場合に、ｙ成分のみを０に近づけるように作用する。
【０１４９】
また、光源レンズ８１Ａは、各第１側方レンズ部分８５Ａの内側面が、発光素子からの発散光をＹＺ平面の方向に屈折させる正のパワー、および、発光素子からの発散光をＸＹ平面の方向に屈折させる正のパワーを備える側方フルネルレンズ面８９Ａとされている。第１側方レンズ部分８５Ａのそれぞれは、当該部分を通過する光を（ｘ,ｙ,ｚ）成分で表した場合に、ｚ成分とｘ成分を０に近づけるように作用する。
【０１５０】
そして、第１中央レンズ部分８４Ａおよび一対の第１側方レンズ部分８５Ａは、中央フルネルレンズ面８８Ａおよび側方フルネルレンズ面８９Ａのレンズ形状までも含めて、Ｙ軸を中心として、図２２（ｂ）に示す断面形状（同一断面形状）９３ａを回転させることにより得られる回転体９３となっている。断面形状９３ａは、図２２（ｂ）に示すＹＺ平面上では、Ｚ軸に対して対称の門形状をしており、Ｚ軸と交差してＹ軸と平行に延びている略矩形の平行部分９１Ａと、平行部分９１Ａの両端からそれぞれＹ軸と垂直に延びている略矩形の一対の垂直部分９２Ａを備えている。平行部分９１Ａによって第１中央レンズ部分８４Ａの形状が規定されており、一対の垂直部分９２Ａによって一対の第１側方レンズ部分８５Ａの形状が規定されている。
【０１５１】
また、第２中央レンズ部分８６Ａおよび一対の第２側方レンズ部分８７Ａは、第１中央レンズ部分８４Ａおよび第１側方レンズ部分８５ＡのＹＺ平面上の端面、すなわち、図２２（ｂ）に示す断面形状９３ａを備えている端面を、中央フルネルレンズ面８８Ａおよび側方フルネルレンズ面８９Ａのレンズ形状までも含めて、Ｘ軸のマイナス方向に所定長さだけ平行移動することにより得られる平行移動体となっている。これにより、第２中央レンズ部分８６Ａは、第４の発光素子８０からの発散光をＸＺ平面の方向に屈折させる正のパワーを備えたものとなっている。言い換えると、第２中央レンズ部分８６Ａは、当該部分を通過する光を（ｘ,ｙ,ｚ）成分で表した場合に、ｙ成分のみを０に近づけるように作用する。また、一対の第２側方レンズ部分８７Ａは、第４の発光素子８０からの発散光をＸＹ平面の方向に屈折させる正のパワーを備えたものとなっている。言い換えると、第２側方レンズ部分８７Ａは、当該部分を通過する光を（ｘ,ｙ,ｚ）成分で表した場合に、ｚ成分を０に近づけるように作用する。
【０１５２】
図２３は光源レンズ８１ＡをＹＺ平面で切断した断面形状９３ａにおける平行部分９１Ａおよび垂直部分９２Ａの部分拡大図である。図２３に示すように、中央フルネルレンズ面８８Ａは、平行部分９１Ａの内側部分の一定厚さＤ３の範囲に形成されている。側方フルネルレンズ面８９Ａは、垂直部分９２Ａの内側部分の一定厚さＤ４の範囲に形成されている。
【０１５３】
中央フルネルレンズ面８８Ａにおいて、Ｙ軸方向において第４の発光素子８０から離れる外側に向かってＺ軸の前方に傾斜している第１傾斜レンズ部分９４Ａは、発散光をＸＺ平面の側に屈折させる機能を担っている。より詳細には、Ｙ軸方向において隣接している一方の第１傾斜レンズ部分９４Ａ（１）と他方の第１傾斜レンズ部分９４Ａ（２）は、一方の第１傾斜レンズ部分９４Ａ（１）が黄色の発散光Ｙ（黄色発光ダイオードから射出される発散光）をＸＺ平面の側に屈折させる機能を担っており、他方の第１傾斜レンズ部分９４Ａ（２）が青色の発散光Ｂ（青色発光ダイオードから射出される発散光）をＸＺ平面の側に屈折させる機能を担っている。これにより、光源レンズ８１Ａがアッベ数の低い材料（分散が大きい材料）から形成されている場合でも、光源レンズ８１Ａを介して放出される光に色むらが発生することが抑制される。
【０１５４】
中央フルネルレンズ面８８Ａにおいて、第１傾斜レンズ部分９４ＡのＺ軸方向の後端からＹ軸方向において第４の発光素子８０が位置する内側に向かってＺ軸の前方に傾斜している第２傾斜レンズ部分９５Ａは、その傾斜角度α３が、第２傾斜レンズ部分９５Ａの前端からフロントフォーカスＦ１に達する光線が平行部分９１Ａの前方の空間（空気）に入射する入射角度β３と一致するように形成されている。これにより、光源レンズ８１Ａを介して放出される光線が迷光となることが抑制される。また、このような傾斜とすることにより、第２傾斜レンズ部分９５Ａと第１傾斜レンズ部分９４Ａによって形成される角度θ３が鋭角になることを回避することができるので、光源レンズ８１Ａの成形が容易となっている。さらに、第１傾斜レンズ部分９４Ａの断面および第２傾斜レンズ部分９５Ａの断面は直線状となっており、これにより、光源レンズ８１Ａの成形が容易となっている。
【０１５５】
側方フルネルレンズ面８９Ａにおいて、Ｙ軸方向において第４の発光素子８０から離れる外側に向かってＺ軸の前方に傾斜している第３傾斜レンズ部分９６Ａは、発散光をＸＹ平面の側に屈折させる機能を担っている。より詳細には、Ｙ軸方向において隣接している一方の第３傾斜レンズ部分９６Ａ（１）と他方の第３傾斜レンズ部分９６Ａ（２）は、一方の第３傾斜レンズ部分９６Ａ（１）が黄色の発散光Ｙ（黄色発光ダイオードから射出される発散光）をＸＹ平面の側に屈折させる機能を担っており、他方の第３傾斜レンズ部分９６Ａ（２）が青色の発散光Ｂ（青色発光ダイオードから射出される発散光）をＸＹ平面の側に屈折させる機能を担っている。これにより、光源レンズ８１Ａがアッベ数の低い材料（分散が大きい材料）から形成されている場合でも、光源レンズ８１Ａを介して放出される光に色むらが発生することが抑制される。なお、第３傾斜レンズ部分９６Ａは、垂直部分９２ＡがＹ軸回りに回転させられて回転体９３を構成したときには、発散光をＸＹ平面の側に屈折させる機能とともに、発散光をＹＺ平面の側に屈折させる機能も担うものとなる。
【０１５６】
側方フルネルレンズ面８９Ａにおいて、第３傾斜レンズ部分９６ＡのＹ軸方向の内側の端からＹ軸方向において第４の発光素子８０から離れる外側に向かってＺ軸の後方に傾斜している第４傾斜レンズ部分９７Ａは、その傾斜角度α４が、第４傾斜レンズ部分９７Ａの外側の端からフロントフォーカスＦ２に達する光線が垂直部分９２Ａの側方の空間（空気）に入射する入射角度β４と一致するように形成されている。これにより、光源レンズ８１Ａを介して放出される光線が迷光となることが抑制される。また、このような傾斜とすることにより、第４傾斜レンズ部分９７Ａと第３傾斜レンズ部分９６Ａによって形成される角度θ４が鋭角になることを回避することができるので、光源レンズ８１Ａの成形が容易となっている。さらに、第４傾斜レンズ部分９７Ａの断面および第３傾斜レンズ部分９６Ａの断面は直線状となっており、これにより、光源レンズ８１Ａの成形が容易となっている。
【０１５７】
図２４（ａ）は本例の光源装置１Ｄの配光特性を天頂角度と方位角度相対値で示す扇グラフであり、図２４（ｂ）は本例の光源装置１Ｄの配光特性を方位角度と天頂角度相対値で示す等高線グラフである。本例の光源装置１Ｄにおいても、Ｙ軸方向の射出角度が狭まっており、方位角度２７０°の側に線状の照射範囲が形成される。
【０１５８】
［実施例５］
図２５を参照して、実施例５の光源装置を説明する。図２５（ａ）は実施例５の光源装置のＺ軸方向から見た平面図であり、図２５（ｂ）は実施例５の光源装置をＹ軸方向から見た側面図である。本例の光源装置１Ｅは実施例４とは光源レンズ１００が相違する。また、光源装置１Ｅは第１反射鏡５を備えていない。なお、光源装置１Ｅは、実施例４と対応する構成を備えているので、対応する部分には同一の符号を付して、その説明を省略する。また、本例においても、第４の発光素子８０の発光面８０ａの発光中心点Ｐを原点Ｏとし、原点Ｏで直交して発光面と同一平面上を延びる二軸をＸ軸およびＹ軸、原点Ｏから発光面の前方に垂直に延びる軸をＺ軸とする。
【０１５９】
（光源レンズ）
光源レンズ１００は、第４の発光素子８０のＺ軸方向の前方に位置する中央レンズ部分１０１と、Ｙ軸方向において中央レンズ部分１０１の両端に形成されている一対の側方レンズ部分１０２を備えている。ここで、光源レンズ１００は、Ｙ軸を含む平面で切断した場合の断面形状は、図１６（ｂ）に示す断面形状（同一断面形状）９０ａと同一であり、この断面形状９０ａをＸＹ平面からＸ軸のマイナス方向に向かって１８０°の角度範囲に渡って回転させることにより形成される回転体１０３である。
【０１６０】
中央レンズ部分１０１は、図２５（ａ）に示すように、Ｚ軸方向から見た場合の平面形状が矩形である。また、中央レンズ部分１０１をＸＺ平面と平行な平面で切断した場合の断面形状は半円の円弧形状となっている。中央レンズ部分１０１の外側面は、発光素子からの発散光をＸＺ平面の方向に屈折させる正のパワーを備える中央フルネルレンズ面１０４となっている。中央レンズ部分１０１は、当該部分を通過する光を（ｘ,ｙ,ｚ）成分で表した場合に、ｙ成分を０に近づけるように作用する。
【０１６１】
第１側方レンズ部分１０２のそれぞれは、図２５（ｂ）に示すように、Ｙ軸方向から見た側面形状が半円形となっている。各側方レンズ部分１０２の外側面は、第４の発光素子８０からの発散光をＹＺ平面の方向に屈折させる正のパワー、および、第４の発光素子８０からの発散光をＸＹ平面の方向に屈折させる正のパワーを備える側方フルネルレンズ面１０５とされている。側方レンズ部分１０２のそれぞれは、当該部分を通過する光を（ｘ,ｙ,ｚ）成分で表した場合に、ｚ成分とｘ成分を０に近づけるように作用する。
【０１６２】
本例では、第４の発光素子８０からの発散光のうち、ＸＺ平面に対しておよそ０°から４５°の方向に放射された光が中央レンズ部分１０１を透過する。中央レンズ部分１０１を通過する光はＸＺ平面の方向に屈折させられ、その透過光はＸＺ平面に平行な方向に放射される。
【０１６３】
また、第４の発光素子８０からの発散光のうち、ＸＺ平面に対しておよそ４５°から９０°の方向に放射された光が側方レンズ部分１０２を通過する。側方レンズ部分１０２を通過する光は、ＹＺ平面の方向並びにＸＹ平面の方向に屈折させられ、その透過光はＹＺ平面並びにＸＹ平面に平行な方向に放射される。しかる後に、側方レンズ部分１０２の透過光は、第２反射鏡６によって、Ｚ軸を含むＸＺ平面に平行な方向に反射させられる。
【０１６４】
（配光特性）
図２６（ａ）は光源装置１Ｅの配光特性を天頂角度と方位角度相対値で示す扇グラフであり、図２６（ｂ）は光源装置１Ｅの配光特性を方位角度と天頂角度相対値で示す等高線グラフである。図２６に示すように、本例の光源装置１Ｅによれば、Ｙ軸方向の射出角度が狭まっており、方位角度９０°の側、および、２７０°の側に、線状の照射範囲が形成される。光源装置１Ｅによれば、実施例４の光源装置１Ｃよりも長い照射範囲が得られている。
【０１６５】
なお、実施例５の光源レンズ１００は、同一断面形状が１８０°の角度範囲に渡る回転体として形成されているが、９０°〜１８０°のいずれの角度の角度範囲に渡る回転体として形成されていてもよい。
【０１６６】
また、光源装置１ＥのＸ軸のマイナス方向の隣接位置に第１反射鏡５を配置してもよい。この場合には、光源装置１Ｅによる線状の照射範囲は短くなるが、第１反射鏡５による反射光によって、この照射範囲の光度を高めることができる。
【０１６７】
また、実施例４の変形例３と同様に、フルネルレンズ面を、中央レンズ部分１０１および一対の側方レンズ部分１０２の内側面に設けることもできる。
【０１６８】
（その他の実施の形態）
なお、上記の実施例４〜５では、発光素子は、２つの発光素子（発光ダイオード）を有し、複数の発光素子が全体として一つの発散光を放射しているものを用いているが、３つ以上の発光素子（発光ダイオード）を有し、複数の発光素子が全体として一つの発散光を放射しているものを用いることもできる。また、単一の発光素子（発光ダイオード）からなるものを用いてもよい。
【０１６９】
また、上記の実施例４〜５では、光源レンズ８１、光源レンズ８１Ａ、光源レンズ１００は、いずれもＸＺ平面に対して面対称に形成されているが、これらを非対称に形成してもよい。また、光源レンズ８１、光源レンズ８１Ａ、光源レンズ１００、における第１中央レンズ部分１３、中央レンズ部分４３、中央レンズ部分６３、第１中央レンズ部分８４、第１中央レンズ部分８４Ａ、中央レンズ部分１０１は、当該部分を通過する光を（ｘ,ｙ,ｚ）成分で表した場合に、ｙ成分のみを０に近づけるように作用するが、線状の照射範囲を形成するものであれば、他の成分について作用することを妨げるものではない。
【０１７０】
（照明装置）
次に、上記の光源装置を光源モジュールとして搭載する照明装置を説明する。本例の照明装置は、実施例１の光源装置１を光源モジュールとして搭載している。
【０１７１】
図２７は本発明を適用した照明装置の概観斜視図である。本発明の照明装置２００は、地面から直立している支柱２０１に取り付けられ、例えば、工場において線状に延びる生産ラインを照らすために用いられる。照明装置２００は、開口部が下方を向いた状態で支柱２０１に取り付けられている箱型の上ケース２０２ａと、上ケース２０２ａの下側から開口部を塞ぐように取り付けられている透明な樹脂製の下ケース２０２ｂと、これら上ケース２０２ａおよび下ケース２０２ｂの内側に収納されている照明装置本体２０３を備えている。照明装置２００は、支柱２０１に取り付けられている後端部よりも前端部の側が上方に位置しており、照明装置本体２０３も照明装置２００と同様の角度で傾斜している。照明装置２００は、照射対象とする平面領域３００の斜め上方から、この平面領域３００を照らす。照明装置２００からは、装置幅方向に長く、装置前後方向の幅が一定の線状照明光が出射される。照射対象とする平面領域３００には、線状の照明範囲が形成される。
【０１７２】
図２８（ａ）は照明装置２００に搭載されている照明装置本体２０３を下方から見た斜視図であり、図２８（ｂ）は図２８（ａ）のＡ−Ａ線における断面図であり、図２８（ｃ）は図２８（ａ）のＢ−Ｂ線における断面図である。図２９（ａ）は光源ユニットの斜視図であり、図２９（ｂ）は図２９（ａ）のＣ−Ｃ線における断面図である。図２９（ｃ）は図２９（ａ）のＤ−Ｄ線における断面図である。図２８（ｂ）、（ｃ）の二点鎖線は照明装置本体２０３からの線状照明光を示しており、図２９（ｂ）、（ｃ）の二点鎖線は光源ユニットからの照明光を示している。照明装置本体２０３は、図２８に示すように、装置幅方向に２列に配置され、前後方向に延びている各列に４個ずつ配置されている光源ユニット２０４を備えている。各光源ユニット２０４は、照明装置２００の装置幅方向で隣接配置されている一対の光源モジュール２０５から構成されている。
【０１７３】
各光源モジュール２０５は、図２９に示すように、矩形の基板２０６と、この基板２０６に形成された配線パターンに接続された発光素子２０７を備えている。基板２０６の表面には発光素子２０７の発光面２０７ａを覆うように光源レンズ２０８が固定されており、発光素子２０７は光源レンズ２０８の内側に収納されている。また、各光源モジュール２０５は、光源レンズ２０８に隣接する位置から発光面２０７ａの前方に垂直に延びている第１反射板２０９と、光源レンズ２０８に対して第１反射板２０９が隣接する方向とは直交する方向の両側に配置され、基板２０６から発光面２０７ａの前方に向けて相互に離れる方向に斜めに延び、第１反射板２０９に交差している一対の第２反射板２１０を備えている。各光源モジュール２０５は、図２９（ｃ）に示すように、発光素子２０７から射出される発散光を、光源レンズ２０８を介して基板２０６の前方に放射される第１出射光Ｌ１１、および、光源レンズ２０８を介して屈折させられた後に第２反射板２１０で反射されて基板２０６の前方に放射される第２出射光Ｌ１２に配光している。これら第１出射光Ｌ１１および第２出射光Ｌ１２は、基板２０６と第１反射板２０９のなす角度で広がる一定幅の照明光を形成している。
【０１７４】
ここで、光源ユニット２０４は、２つの光源モジュール２０５の基板２０６が鋭角をなす状態で背中合わせに配置されている。すなわち、２つの光源モジュール２０５のそれぞれに搭載されている光源素子の発光面２０７ａが基板２０６を挟んで反対側を向くように配置されている。この結果、光源ユニット２０４は、図２９（ｂ）、（ｃ）に示すように、一方の光源モジュール２０５の基板２０６から他方の光源モジュール２０５の基板２０６までの間の角度で広がる一定幅の線状照明光を形成している。従って、照明装置本体２０３は、図２８（ｂ）、（ｃ）に示すように、装置幅方向の一方の光源ユニット２０４の一方のモジュールの基板２０６から、他方の光源ユニット２０４の他方の光源モジュール２０５の基板２０６までの間の角度で広がる一定幅の線状照明光を形成する。
【０１７５】
本例では、図２９（ｂ）に示すように、１つの光源ユニット２０４を構成している２つの光源モジュール２０５の基板２０６が成す交差角度θは３０°となっている。この交差角度θを調整することにより、光源ユニット２０４が射出する線状照射光の長手方向の照射範囲を設定することができる。なお、２つの光源モジュール２０５の基板２０６を平行に配置することもできる。
【０１７６】
また、図２７に示すように照明装置２００が支柱２０１に傾斜した状態で取り付けられることにより、照明装置本体２０３が装置前後方向において傾斜しているので、照明装置２００による照射範囲は、照明装置本体２０３が照射対象の平面領域３００に対して平行となっている場合と比較して、その短手方向の幅が広くなっている。なお、照射対象の平面領域３００に対する照明装置２００の前後方向の角度、すなわち、照明装置２００を支柱２０１に取り付ける角度を調整することにより、照明装置２００による照射範囲の短手方向の幅を設定できる。
【０１７７】
なお、上記の照明装置２００は、実施例１の光源装置１を光源モジュール２０５として搭載しているが、光源モジュールの発光素子２０７および光源レンズ２０８として、実施例１の変形例、並びに、実施例２ないし５の実施例および変形例のいずれかの光源素子および光源レンズを搭載してもよい。
【図１】
2012042833.tif 000003
【図２】
2012042833.tif 000004
【図４】
2012042833.tif 000005
【図１０】
2012042833.tif 000006
【図１２】
2012042833.tif 000007
【図１６】
2012042833.tif 000008
【図１７】
2012042833.tif 000009
【図２３】
2012042833.tif 000010
【図２７】
2012042833.tif 000011
【図２８】
2012042833.tif 000012
【図２９】
2012042833.tif 000013
【図３】
2012042833.tif 000014
【図５】
2012042833.tif 000015
【図６】
2012042833.tif 000016
【図７】
2012042833.tif 000017
【図８】
2012042833.tif 000018
【図９】
2012042833.tif 000019
【図１１】
2012042833.tif 000020
【図１３】
2012042833.tif 000021
【図１４】
2012042833.tif 000022
【図１５】
2012042833.tif 000023
【図１８】
2012042833.tif 000024
【図１９】
2012042833.tif 000025
【図２０】
2012042833.tif 000026
【図２１】
2012042833.tif 000027
【図２２】
2012042833.tif 000028
【図２４】
2012042833.tif 000029
【図２５】
2012042833.tif 000030
【図２６】
2012042833.tif 000031
【国際調査報告】
2012042833.tif 000032
2012042833.tif 000033
2012042833.tif 000034
2012042833.tif 000035